(57)【特許請求の範囲】
【請求項１】
記録媒体を用いてテレビジョン信号の記録を行うテレビジョン信号記録装置において、
入力されたテレビジョン信号から画像データを生成する生成手段と、
該画像データに関する付随的データであって、基本的データと追加的データとからなる付随データを生成する付随データ生成手段と、
記録媒体を走査することにより、テレビジョン信号の１フレームにつき複数個の記録トラックを記録媒体に形成し、かつ、該複数個の記録トラックの個々の記録トラック内に設けられる画像データ記録エリア、基本的データ記録エリア、及び追加的データ記録エリアに、それぞれ、上記画像データ、基本的データ、及び追加的データを記録する記録手段とを備え、
上記記録手段は、１個の記録トラック内に設けられる追加的データ記録エリアの記録容量と等しいデータ量を有する追加的データを、１フレームにおける複数の記録トラックのそれぞれの追加的データ記録エリアに反復して記録し、トラックペアを構成する記録トラック内の各追加的データ記録エリアに同一のデータ内容からなる追加的データを記録し、上記追加的データ記録エリアに反復して記録される追加的データのデータ量が各トラック毎に形成されている追加的データ記録エリアの記録容量より少ない場合に、追加的データを追加的データ記録エリアの先頭方向に前詰め記録し、余った追加的データ記録エリアにダミーパックを記録し、
上記付随データは、アイテムコードを有する一定バイト量のパックを単位として構成され、かつ、１個の記録トラック内の追加的データ記録エリアに記録される追加的データは、記録すべき追加的データの内容を表すパックとダミーパックとを含み、
上記ダミーパックは、すべての動作を無効とするように、アイテムコードが格納されるデータ部以外の全てのデータ部に値“１”が格納されてなるパックであることを特徴とするテレビジョン信号記録装置。
【請求項２】
上記記録手段は、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックとして、アイテムコードが格納されるデータ部にコモンオプショナルデータを示すコードが格納され、アイテムコード以外のデータ部に値“１”が格納されてなる第１のパック及び／又はアイテムコードが格納されるデータ部にメーカーズオプショナルデータを示すコードが格納され、アイテムコード以外のデータ部に値“１”が格納されてなる第２のパックを記録することを特徴とする請求項１記載のテレビジョン信号記録装置。
【請求項３】
記録媒体を用いてテレビジョン信号の記録を行うテレビジョン信号記録方法において、
入力されたテレビジョン信号から画像データを生成する画像データ生成工程と、
該画像データに関する付随的データであって、基本的データと追加的データとからなる付随データを生成する付随データ生成工程と、
記録媒体を走査することにより、テレビジョン信号の１フレームにつき複数個の記録トラックを記録媒体に形成し、かつ、該複数個の記録トラックの個々の記録トラック内に設けられる画像データ記録エリア、基本的データ記録エリア、及び追加的データ記録エリアに、それぞれ、上記画像データ生成工程で生成された上記画像データ、及び上記付随データ生成工程で生成された基本的データと追加的データを記録する記録工程とを有し、
上記記録工程は、１個の記録トラック内に設けられる追加的データ記録エリアの記録容量と等しいデータ量を有する追加的データを、１フレームにおける複数の記録トラックのそれぞれの追加的データ記録エリアに反復して記録し、トラックペアを構成する記録トラック内の各追加的データ記録エリアに同一のデータ内容からなる追加的データを記録し、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックを記録し、
上記付随データは、アイテムコードを有する一定バイト量のパックを単位として構成され、かつ、１個の記録トラック内の追加的データ記録エリアに記録される追加的データは、記録すべき追加的データの内容を表すパックとダミーパックとを含み、
上記ダミーパックは、すべての動作を無効とするように、アイテムコードが格納されるデータ部以外の全てのデータ部に値“１”が格納されてなるパックであることを特徴とするテレビジョン信号記録方法。
【請求項４】
上記記録工程は、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックとして、アイテムコードが格納されるデータ部にコモンオプショナルデータを示すコードが格納され、アイテムコード以外のデータ部に値“１”が格納されてなる第１のパック及び／又はアイテムコードが格納されるデータ部にメーカーズオプショナルデータを示すコードが格納され、アイテムコード以外のデータ部に値“１”が格納されてなる第２のパックを記録することを特徴とする請求項３記載のテレビジョン信号記録方法。
【発明の詳細な説明】
【０００１】
【産業上の利用分野】
本発明は、テレビジョン信号を記録するための装置に関し、特に、画像データ及び音声データの他に様々な付随データを記録できるようにしたテレビジョン信号記録装置に関する。
【０００２】
【従来の技術】
現在、ＮＴＳＣ方式のテレビジョン信号を能率良く高品質に記録再生するための記録再生装置として、画像信号を４：１：１フォーマットでサンプリングしてディジタル化した後、ＤＣＴ変換及び可変長符号化等の処理によりデータ圧縮して記録を行う画像圧縮記録方式ディジタルＶＴＲが提案されており、近々実用化される予定である。そして、このディジタルＶＴＲでは、１フレーム分のデータを１０個のトラックを使用して記録する構成が採用されている。
【０００３】
また、ＳＥＣＡＭ方式のテレビジョン信号を記録再生するためのディジタルＶＴＲとしても、同様の処理を行って記録を行うようにしたものが提案されている。このＳＥＣＡＭ方式用の画像圧縮記録方式ディジタルＶＴＲでは、画像信号が４：２：０フォーマットでサンプリングされた後ＡＤ変換され、１フレーム分のデータは１２個のトラックを使用して記録されるが、その具体的データフォーマットの多くは、上記のＮＴＳＣ方式用ディジタルＶＴＲにおけるデータフォーマットとの共通化が図られている。
【０００４】
そして、以上のような各ディジタルＶＴＲの持つ特徴の１つとして付随データの記録を挙げることができる。即ち、これらのディジタルＶＴＲにおいては、テープの記録トラック上の音声データ記録領域及びビデオデータ記録領域に、それぞれ音声付随データを記録するエリア及びビデオ付随データを記録するエリアが設けられ、更に、これらの記録領域とは別に主に検索用の付随データを記録するためのサブコード領域が設けられている。そして、これらの領域に記録される付随データは、その基本構造が５バイトを単位とした共通構造にされると共に、各５バイトの単位には、そこに格納されるデータ内容を表すヘッダーデータを内蔵させておくことにより、多種多様な付随データの記録を可能としている。
【０００５】
【発明が解決しようとする課題】
以上のように、ディジタルＶＴＲでは多種多様な付随データを記録できるように構成されており、特に、ビデオデータ記録領域には十分な量の付随データを記録できるように記録容量の大きい付随データ記録エリアが設けられている。ところで、このような記録容量の大きいエリアを設けた場合、大量の付随データを記録出来る反面、この付随データを記録するための回路構成及び再生するための回路構成も大規模なものとならざるをえないという問題がある。
本発明は、以上のような点を考慮して、より小規模の記録回路及び再生回路を用いて付随データの記録再生を可能としたものである。
【０００６】
【課題を解決するための手段】
本発明は、記録媒体を用いてテレビジョン信号の記録を行うテレビジョン信号記録装置において、入力されたテレビジョン信号から画像データを生成する生成手段と、該画像データに関する付随的データであって、基本的データと追加的データとからなる付随データを生成する付随データ生成手段と、記録媒体を走査することにより、テレビジョン信号の１フレームにつき複数個の記録トラックを記録媒体に形成し、かつ、該複数個の記録トラックの個々の記録トラック内に設けられる画像データ記録エリア、基本的データ記録エリア、及び追加的データ記録エリアに、それぞれ、上記画像データ、基本的データ、及び追加的データを記録する記録手段とを備え、上記記録手段は、１個の記録トラック内に設けられる追加的データ記録エリアの記録容量と等しいデータ量を有する追加的データを、１フレームにおける複数の記録トラックのそれぞれの追加的データ記録エリアに反復して記録し、トラックペアを構成する記録トラック内の各追加的データ記録エリアに同一のデータ内容からなる追加的データを記録し、上記追加的データ記録エリアに反復して記録される追加的データのデータ量が各トラック毎に形成されている追加的データ記録エリアの記録容量より少ない場合に、追加的データを追加的データ記録エリアの先頭方向に前詰め記録し、余った追加的データ記録エリアにダミーパックを記録し、上記付随データは、アイテムコードを有する一定バイト量のパックを単位として構成され、かつ、１個の記録トラック内の追加的データ記録エリアに記録される追加的データは、記録すべき追加的データの内容を表すパックとダミーパックとを含み、上記ダミーパックは、すべての動作を無効とするように、アイテムコードが格納されるデータ部以外の全てのデータ部に値“１”が格納されてなるパックである。
【０００７】
ここで、記録手段は、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックとして、アイテムコードが格納されるデータ部にコモンオプショナルデータを示すコードが格納され、アイテムコード以外のデータ部に値“１”が格納されてなる第１のパック及び／又はアイテムコードが格納されるデータ部にメーカーズオプショナルデータを示すコードが格納され、アイテムコード以外のデータ部に値“１”が格納されてなる第２のパックを記録するように構成するのが望ましい。
また、本発明は、記録媒体を用いてテレビジョン信号の記録を行うテレビジョン信号記録方法において、入力されたテレビジョン信号から画像データを生成する画像データ生成工程と、該画像データに関する付随的データであって、基本的データと追加的データとからなる付随データを生成する付随データ生成工程と、記録媒体を走査することにより、テレビジョン信号の１フレームにつき複数個の記録トラックを記録媒体に形成し、かつ、該複数個の記録トラックの個々の記録トラック内に設けられる画像データ記録エリア、基本的データ記録エリア、及び追加的データ記録エリアに、それぞれ、上記画像データ生成工程で生成された上記画像データ、及び上記付随データ生成工程で生成された基本的データと追加的データを記録する記録工程とを有し、上記記録工程は、１個の記録トラック内に設けられる追加的データ記録エリアの記録容量と等しいデータ量を有する追加的データを、１フレームにおける複数の記録トラックのそれぞれの追加的データ記録エリアに反復して記録し、トラックペアを構成する記録トラック内の各追加的データ記録エリアに同一のデータ内容からなる追加的データを記録し、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックを記録し、上記付随データは、アイテムコードを有する一定バイト量のパックを単位として構成され、かつ、１個の記録トラック内の追加的データ記録エリアに記録される追加的データは、記録すべき追加的データの内容を表すパックとダミーパックとを含み、上記ダミーパックは、すべての動作を無効とするように、アイテムコードが格納されるデータ部以外の全てのデータ部に値“１”が格納されてなるパックである。
ここで、記録工程は、上記追加的データ記録エリアに反復して記録される追加的データのデータ量が各トラック毎に形成されている追加的データ記録エリアの記録容量より少ない場合、追加的データを追加的データ記録エリアの先頭方向に前詰め記録し、余った追加的データ記録エリアにダミーパックとして、アイテムコードが格納されるデータ部にコモンオプショナルデータを示すコードが格納され、アイテムコード以外のデータ部に値“１”が格納されてなる第１のパック及び／又はアイテムコードが格納されるデータ部にメーカーズオプショナルデータを示すコードが格納され、アイテムコード以外のデータ部に値“１”が格納されてなる第２のパックを記録するように構成するのが望ましい。
【０００８】
【作用】
パックを単位として構成された付随データのうちの追加的データが、１フレームを構成する複数のトラックにおける各追加的データ記録エリアに１トラック周期で反復記録される。
追加的データを記録して余った１つのトラック内の追加的データ記録エリアにはダミーパックが記録される。
【０００９】
【実施例】
本発明を適用したディジタルＶＴＲの実施例について、特にＮＴＳＣ方式用ディジタルＶＴＲを中心に以下の項目に従って順次説明する。
１．ディジタルＶＴＲの記録フォーマット
（１）  ＩＴＩエリア
（２）  ＡＵＤＩＯエリア
（３）  ＶＩＤＥＯエリア
（４）  ＳＵＢＣＯＤＥエリア
（５）  ＩＤ部の構造
（６）  パックの構造及び種類
（７）  付随情報記録エリアの構造
（８）  アプリケーションＩＤシステム
２．ディジタルＶＴＲの記録回路
３．ディジタルＶＴＲの再生回路
４．付随データの記録再生
（１）  ＶＡＵＸパックデータの記録
（２）  ＡＡＵＸパックデータの記録
（３）  ＳＵＢＣＯＤＥデータの記録
（４）  パックデータの再生処理
【００１０】
１．ディジタルＶＴＲの記録フォーマット
ＮＴＳＣ方式用ディジタルＶＴＲにおけるテープ上の記録フォーマットを図１３に示す。
この図において、トラックの両端にはマージンが設けられる。そして、その内側には記録始端側から、アフレコを確実に行うためのＩＴＩエリア、音声信号を記録するＡＵＤＩＯエリア、画像信号を記録するＶＩＤＥＯエリア、副次的データを記録するためのＳＵＢＣＯＤＥエリアが設けられる。なお各エリアの間には、エリア確保のためのインターブロックギャップ（ＩＢＧ）が設けられる。
【００１１】
次に上記の各エリアに記録される信号の詳細を説明する。
（１）  ＩＴＩエリア
ＩＴＩエリアは図１３の拡大部分に示されているように、１４００ビットのプリアンブル、１８３０ビットのＳＳＡ（Ｓｔａｒｔ−Ｓｙｎｃ  Ｂｌｏｃｋ  Ａｒｅａ）、９０ビットのＴＩＡ（Ｔｒａｃｋ  Ｉｎｆｏｒｍａｔｉｏｎ  Ａｒｅａ）及び２８０ビットのポストアンブルから構成されている。
【００１２】
ここで、プリアンブルは再生時のＰＬＬのランイン等の機能を持ち、ポストアンブルはマージンを稼ぐための役割を持つ。そして、ＳＳＡ及びＴＩＡは、３０ビットのブロックデータを単位として構成されており、各ブロックデータの先頭１０ビットには所定のＳＹＮＣパターン（ＩＴＩ−ＳＹＮＣ）が記録される。
【００１３】
このＳＹＮＣパターンに続く２０ビットの部分には、ＳＳＡにおいては主にＳＹＮＣブロック番号（０〜６０）が記録され、また、ＴＩＡにおいては主に３ビットのＡＰＴ情報（ＡＰＴ２〜ＡＰＯ）、記録モードを識別するＳＰ／ＬＰフラグ、及びサーボシステムの基準フレームを示すＰＦフラグが記録される。なお、ＡＰＴはトラック上のデータ構造を規定するＩＤデータであり、このディジタルＶＴＲでは値「０００」をとる。
【００１４】
以上の説明から分かるように、ＩＴＩエリアにはコード長の短いシンクブロックが磁気テープ上の固定された位置に多数記録されているので、再生データから例えばＳＳＡの６１番目のＳＹＮＣパターンが検出された位置をトラック上のアフレコ位置を規定する基準として使用することにより、アフレコ時に書換えられる位置を高精度に規定し、良好なアフレコを行うことができる。なお、このディジタルＶＴＲは、後述するように外の種々のディジタル信号記録再生装置へ容易に商品展開できるように設計されているが、どのようなディジタル信号記録再生装置においても特定のエリアのデータの書換えは必要となるので、このトラック入口側のＩＴＩエリアは必ず設けられている。
【００１５】
（２）  ＡＵＤＩＯエリア
オーディオエリアは、図１３の拡大部分に示されるように、その前後にプリアンブルとポストアンブルを有しており、プリアンブルはＰＬＬ引き込み用のランアップ、及びオーディオＳＹＮＣブロックの前検出のためのプリＳＹＮＣから構成されている。また、ポストアンブルは、オーディオエリアの終了を確認するためのポストＳＹＮＣと、ビデオデータアフレコ時にオーディオエリアを保護するためのガードエリアとから構成されている。
【００１６】
ここで、プリＳＹＮＣ及びポストＳＹＮＣの各ＳＹＮＣブロックは、図１４の（１）及び（２）に示すように構成され、プリＳＹＮＣはＳＹＮＣブロック２個から、ポストＳＹＮＣはＳＹＮＣブロック１個から構成されている。そして、プリＳＹＮＣの６バイト目には、ＳＰ／ＬＰの識別バイトが記録される。これはＦＦｈでＳＰ、００ｈでＬＰを表し、前述のＩＴＩエリアに記録されたＳＰ／ＬＰフラグが読み取り不可の時にはこのプリＳＹＮＣのＳＰ／ＬＰの識別バイトの値が採用される。
【００１７】
以上のようなアンブルエリアに挟まれたエリアに記録されるオーディオデータは次のようにして生成される。
まず、記録すべき１トラック分の音声信号は、ＡＤ変換及びシャフリングを施された後フレーミングが行われ、更にパリティを付加される。このフレーミングを行ってパリティを付加したフォーマットを図１５の（１）に示す。この図において、７２バイトのオーディオデータの先頭に５バイトの音声付随データ（これをＡＡＵＸデータと言う）を付加して１ブロック７７バイトのデータを形成し、これを垂直に９ブロック積み重ねてフレーミングを行い、これに８ビットの水平パリティＣ１とブロック５個分に相当すると垂直パリティＣ２とが付加される。
【００１８】
これらのパリティが付加されたデータは各ブロック単位で読み出されて、各ブロックの先頭側に３バイトのＩＤを付加され、更に、記録変調回路において２バイトのＳＹＮＣ信号を挿入されて、図１５の（２）に示されるようなデータ長９０バイトの１ＳＹＮＣブロックの信号へ成形される。そして、この信号がテープに記録される。
【００１９】
（３）  ＶＩＤＥＯエリア
ビデオエリアは図１３の拡大部分に示されるようにオーディオエリアと同様のプリアンブル及びポストアンブルを持つ。但し、ガードエリアがより長く形成されている点でオーディオエリアのものと異なっている。これらのアンブルエリアに挟まれたビデオデータは次のようにして生成される。
【００２０】
即ち、ＮＴＳＣ方式用ディジタルＶＴＲの場合、Ｙ信号は１３．５ＭＨｚのサンプル周波数で、また、色差信号はその１／４の周波数で、それぞれＡＤ変換され、このＡＤ変換出力から１フレーム分の有効走査エリアのデータを抽出する。この１フレーム分の抽出データは、Ｙ信号のＡＤ変換出力（ＤＹ）については、水平方向７２０サンプル、垂直方向４８０ラインで構成され、また、Ｒ−Ｙ信号のＡＤ変換出力（ＤＲ）及びＢ−Ｙ信号のＡＤ変換出力（ＤＢ）については、それぞれ水平方向１８０サンプル、垂直方向４８０ラインで構成される。そしてこれらの抽出データは、水平方向８サンプル、垂直方向８ラインのブロックに分割される。このブロッキング処理を１フレーム分のＤＹについて示すと図１６の（１）のようになる。
【００２１】
同様の操作を色差信号ＤＲ及びＤＢについても行い、図の（２）に示されるような１フレーム分のブロッキングされたデータを得る。但し、色差信号の場合、この図における右端部分のブロックは水平方向４サンプルしかないので、上下に隣接する２個のブロックをまとめて１個のブロックとする。以上のブロッキング処理によって１フレームにつきＤＹ、ＤＲ、ＤＢで合計８１００個の８サンプル×８ラインのブロックが形成される。なお、この水平方向８サンプル、垂直方向８ラインで構成されるブロックをＤＣＴブロックと言う。
【００２２】
次に、これらのブロッキングされたデータを所定のシャフリングパターンに従ってシャフリングした後、ＤＣＴブロック単位でＤＣＴ変換し、続いて量子化及び可変長符号化を行う。ここで、量子化ステップは３０ＤＣＴブロック毎に設定され、この量子化ステップの値は、３０個のＤＣＴブロックを量子化して可変長符号化した出力データの総量が所定値以下となるように設定される。即ち、ビデオデータを、ＤＣＴブロック３０個ごとに固定長化する。このＤＣＴブロック３０個分のデータをバッファリングユニットと言う。
【００２３】
以上のようにして固定長化したデータについて、その１トラック分のデータ毎にビデオ付随データ（これをＶＡＵＸデータと言う）と共にフレーミングを施し、その後、誤り訂正符号を付加する。
このフレーミングを施して誤り訂正符号を付加した状態のフォーマットを図１７に示す。
【００２４】
この図において、ＢＵＦ０〜ＢＵＦ２６はそれぞれが１個のバッファリングユニットを表す。そして、１個のバッファリングユニットは、図１８の（１）に示すように垂直方向に５つのブロックに分割された構造を有し、各ブロックは７７バイトのデータ量を持つ。また、各ブロックの先頭側の１バイトには量子化に関するパラメータを格納するエリアＱが設けられる。
【００２５】
この量子化データに続く７６バイトのエリアにビデオデータが格納される。そして、図１７に示されているように、これらの垂直方向に２７個配置されたバッファリングユニットの上部には上記のバッファリングユニット内のブロック２個分に相当するＶＡＵＸデータα及びβが配置されると共に、その下部にはブロック１個分に相当するＶＡＵＸデータγが配置され、これらのフレーミングされたデータに対して８バイトの水平パリティＣ１及びブロック１１個分に相当する垂直パリティＣ２が付加される。
【００２６】
このようにパリティが付加された信号は各ブロック単位で読み出されて各ブロックの先頭側に３バイトのＩＤ信号を付加され、更に、記録変調回路において２バイトのＳＹＮＣ信号が挿入される。これにより、ビデオデータのブロックについては図１８の（２）に示されるようなデータ量９０バイトの１ＳＹＮＣブロックの信号が形成され、また、ＶＡＵＸデータのブロックについては同図の（３）に示されるような１ＳＹＮＣブロックの信号が形成される。この１ＳＹＮＣブロック毎の信号が順次テープに記録される。
【００２７】
以上に説明したフレーミングフォーマットでは、１トラック分のビデオデータを表わす２７個のバッファリングユニットはＤＣＴブロック８１０個分のデータを有するので、１フレーム分のデータ（ＤＣＴブロック８１００個分）は１０個のトラックに分けて記録されることになる。
【００２８】
（４）  ＳＵＢＣＯＤＥエリア
ＳＵＢＣＯＤＥエリアは主に高速サーチ用の情報を記録するために設けられたエリアであり、その拡大図を図１９に示す。この図に示されるように、ＳＵＢＣＯＤＥエリアは１２バイトのデータ長を持つ１２個のＳＹＮＣブロックを含み、その前後にプリアンブル及びポストアンブルが設けられる。但し、オーディオエリア及びビデオエリアのようにプリＳＹＮＣ及びポストＳＹＮＣは設けられない。そして、１２個の各ＳＹＮＣブロックには、５バイトの付随データ（ＡＵＸデータ）を記録するデータ部が設けられている。また、この５バイトの付随データを保護するパリティとしては２バイトの水平パリティＣ１のみが用いられ、垂直パリティは使用されない。
【００２９】
なお、以上に説明したＡＵＤＩＯエリア、ＶＩＤＥＯエリア、ＳＵＢＣＯＤＥエリアを構成している各ＳＹＮＣブロックは、記録変調の際に２４／２５変換（記録信号の２４ビット毎のデータを２５ビットへ変換することにより、記録符号にトラッキング制御用パイロット周波数成分を付与するようにした記録変調方式）を施されるため、各エリアの記録データ量は図１３に示されているようなビット数になる。
【００３０】
（５）  ＩＤ部の構造
以上の図１４，図１５，図１８，及び図１９に示されている各ＳＹＮＣブロックの構成から明らかなように、ＡＵＤＩＯエリア、ＶＩＤＥＯエリア、及びＳＵＢＯＣＯＤＥエリアに記録されるＳＹＮＣブロックは、２バイトのＳＹＮＣ信号の後にＩＤ０、ＩＤ１及びＩＤＰ（ＩＤ０，ＩＤ１を保護するパリティ）からなる３バイトのＩＤ部が設けられる点で共通の構造となっている。そして、このＩＤ部の内のＩＤ０、ＩＤ１は、オーディオエリア及びビデオエリアにおいては図２０に示すようにデータの構造が定められる。
【００３１】
即ち、ＩＤ１にはオーディオエリアのプリＳＹＮＣからビデオエリアのポストＳＹＮＣまでのトラック内ＳＹＮＣ番号が２進数で格納される。
そして、ＩＤ０の下位４ビットには１フレーム内のトラックペア番号が格納される。例えば、ＮＴＳＣ方式用ディジタルＶＴＲの場合、後述するように、トラック番号０及び１、トラック番号２及び３、トラック番号４及び５、トラック番号６及び７、トラック番号８及び９、がそれぞれトラックペアを構成し、トラックペア番号０〜４が付与される。なお、後述するように、偶数のトラック番号を持つトラックはマイナスアジマスヘッドで記録され、また、奇数のトラック番号を持つトラックはプラスアジマスヘッドで記録されるので、再生時におけるトラック番号は、再生されたトラックペア番号とヘッドのアジマスとに基づいて直ちに知ることができる。
また、ＩＤ０の上位４ビットには、ＡＡＵＸ＋オーディオデータ、及びビデオデータの各ＳＹＮＣブロックにおいてはこの図の（１）に示されるように４ビットのシーケンス番号が格納される。
【００３２】
一方、オーディオエリアのプリＳＹＮＣブロック、ポストＳＹＮＣブロック及びパリティＣ２のＳＹＮＣブロックにおいてはオーディオエリアのデータ構造を規定する３ビットのＩＤデータＡＰ１が格納され、また、ビデオエリアのプリＳＹＮＣブロック、ポストＳＹＮＣブロック及びパリティＣ２のＳＹＮＣブロックにおいてはビデオエリアのデータ構造を規定する３ビットのＩＤデータＡＰ２が格納される（この図の（２）参照）。なお、これらのＡＰ１及びＡＰ２の値は、ディジタルＶＴＲでは「０００」をとる。
【００３３】
また、上記のシーケンス番号は、「００００」から「１０１１」までの１２通りの番号を各フレーム毎に記録するものであり、このシーケンス番号を見ることにより、変速再生時に得られたデータが同一フレーム内のものかどうかを判断できる。
一方、ＳＵＢＣＯＤＥエリアにおけるＳＹＮＣブロックのＩＤ部の構造は図２１のように規定されている。
【００３４】
この図はＳＵＢＣＯＤＥエリアの１トラック分のＳＹＮＣブロック番号０から１１までの各ＩＤ部の構造を示したものであり、ＩＤ０の最上位ビットにはＦＲフラグが設けられる。このフラグはフレームの前半５トラックであるか否かを示し、前半５トラックにおいては「１」、後半５トラックにおいては「０」の値をとる。その次の３ビットには、ＳＹＮＣブロック番号が「０」及び「６」であるＳＹＮＣブロックにおいてはＳＵＢＣＯＤＥエリアのデータ構造を規定するＩＤデータＡＰ３が記録されると共に、ＳＹＮＣブロック番号「１１」のＳＹＮＣブロックにおいてはトラック上のデータ構造を規定するＩＤデータＡＰＴが記録され、その外のＳＹＮＣブロックにおいてはＴＡＧコードが記録される。なお、上記ＡＰ３の値は、このディジタルＶＴＲでは「０００」をとる。
【００３５】
また、上記ＴＡＧコードは、この図に拡大して示されているようにサーチ用の３種類のＩＤ信号、即ち、従来から行われているＩＮＤＥＸサーチのためのＩＮＤＥＸ  ＩＤ、コマーシャル等の不要場面をカットするためのＳＫＩＰ  ＩＤ、及び静止画サーチのためのＰＰ  ＩＤ（Ｐｈｏｔｏ／Ｐｉｃｔｕｒｅ  ＩＤ）から構成される。また、ＩＤ０の下位４ビットとＩＤ１の上位４ビットとを使用してトラックの絶対番号（テープの先頭からの通しのトラック番号）が記録される。但し、この図に示されるようにＳＹＮＣブロック３個分の合計２４ビットを用いて１個の絶対トラック番号が記録される。ＩＤ１の下位４ビットにはＳＵＢＣＯＤＥエリアのＳＹＮＣブロック番号が記録される。
【００３６】
ディジタルＶＴＲでは、以上に説明したようにテープ上に規定されている各エリアに付随データを記録するようにしているが、この外にテープの収納されるカセットにメモリＩＣの設けられた回路基板を搭載し、このメモリＩＣにも付随データを記録するようにしている。そして、このカセットがディジタルＶＴＲに装着されるとこのメモリＩＣに書き込まれた付随データが読み出されてディジタルＶＴＲの運転・操作の補助が行われるようにしている。このメモリＩＣを本願ではＭＩＣ（Ｍｅｍｏｒｙ  Ｉｎ  Ｃａｓｓｅｔｔｅ）と呼ぶが、そのデータ構造の詳細については本発明の課題と直接関係しないので説明は省略する。
【００３７】
（６）  パックの構造及び種類
以上に説明したように、ディジタルＶＴＲでは、付随データを記録するエリアとして、テープ上のオーディオエリアのＡＡＵＸエリア、ビデオエリアのＶＡＵＸエリア、ＳＵＢＣＯＤＥエリアのＡＵＸデータ記録エリア、及びＭＩＣの記録領域に付随データが記録され、これらの各エリアは、いずれも５バイトの固定長をもつパックを単位として構成される。
【００３８】
つぎに、これらのパックの構造及び種類について説明する。
パックは図２２に示される５バイトの基本構造を持つ。この５バイトについて、最初のバイト（ＰＣ０）がデータの内容を示すアイテムデータ（パックヘッダーとも言う）とされる。そして、このアイテムデータに対応して後続する４バイト（ＰＣ１〜４）の書式が定められ、この書式に従って任意のデータが設けられる。
【００３９】
このアイテムデータは上下４ビットずつに分割され、上位４ビットは大アイテム、下位４ビットは小アイテムと称される。そして上位４ビットの大アイテムは例えば後続データの用途を示すデータとされ、下位４ビットの小アイテムは例えば後続データの具体的な内容を表すデータとされる。これらのアイテムデータによって最大２５６種類のパックが定義される。参考までに、これらのアイテムデータにより定義されたパックの種類を図２３及び図２４に示す。
【００４０】
これらの図から分かるように、パックの種類は、大アイテムの値に応じて、コントロール「００００」、タイトル「０００１」、チャプター「００１０」、パート「００１１」、プログラム「０１００」、音声補助データ（ＡＡＵＸ）「０１０１」、画像補助データ（ＶＡＵＸ）「０１１０」、カメラ「０１１１」、ライン「１０００」、ソフトモード「１１１１」の１０種類のグループに展開されている。
【００４１】
なお、これらの図において「ＲＳＶ」の記入されているパックは未定義のパックを表し、特に、大アイテム「１００１」〜「１１１０」のパック領域は、未定義の領域を表している。従って、未だ定義されていないアイテムデータのコードを使用して新たなアイテムデータ（ヘッダー）を定義することにより、将来任意に新しいデータの記録を行うことができる。またヘッダーを読むことによりパックに格納されているデータの内容を把握できるので、パックを記録するテープ上の位置も任意に設定できる。
【００４２】
次に、パックの具体例を図２５〜図２９を用いて説明する。
図２５の（１）〜（５）及び、図２６の（１）に示されるパックは、そのアイテムデータから分かるように、図２４におけるＡＡＵＸのグループに属し、音声に関する付随データの記録に使用され、その記録データの内容は次のとおりである。
【００４３】
即ち、図２５の（１）に示されるＡＡＵＸ  ＳＯＵＲＣＥのパックには、オーディオサンプル周波数が映像信号とロックしているか否かを示すフラグ（ＬＦ）、１フレーム当たりのオーディオサンプル数（ＡＦ  ＳＩＺＥ）、オーディオチャンネル数（ＣＨ）、各オーディオチャンネルのステレオ／モノラル等のモードの情報（ＰＡ及びＡＵＤＩＯ  ＭＯＤＥ）、テレビジョン方式に関する情報（５０／６０及びＳＴＹＰＥ）、エンファシスの有無（ＥＦ）、エンファシスの時定数（ＴＣ）、サンプル周波数（ＳＭＰ）、量子化情報（ＱＵ）が記録される。
【００４４】
同図の（２）に示されるＡＡＵＸ  ＳＯＵＲＣＥ  ＣＯＮＴＲＯＬのパックには、ＳＣＭＳデータ（上位ビットが著作権の有無を表し、下位ビットがオリジナルテープか否かを表す）、コピーソースデータ（アナログ信号源かディジタル信号源かを表す）、コピー世代データ、記録される信号がスクランブルされたものであるか、或るいはチャイルドロックすべきものであるか等を表すＳＳコード、記録開始フレームか否かを示すフラグ（Ｒ．Ｓ．）、記録最終フレームか否かを示すフラグ（Ｒ．Ｅ．）、オリジナル記録／アフレコ記録／インサート記録等の記録モードデータ（ＲＥＣ  ＭＯＤＥ）、テープ走行方向を示すフラグ（ＤＲＦ）、再生スピードデータ、及び記録内容のジャンルカテゴリーが記録される。
【００４５】
同図の（３）に示されるＡＡＵＸ  ＲＥＣ  ＤＡＴＥのパックには、サマータイムか否かを示すフラグ「ＤＳ」、３０分の時差の有無を示すフラグ「ＴＭ」、時差を表すデータ「ＴＩＭＥ  ＺＯＮＥ」、及び日、曜日、月、年のデータが記録される。
同図の（４）に示されるＡＡＵＸ  ＲＥＣ  ＴＩＭＥのパックには、ＳＭＰＴＥタイムコード表示で＊＊時＊＊分＊＊秒＊＊フレームの記録時間のデータが記録される。図の（５）に示されるＡＡＵＸ  ＲＥＣ  ＴＩＭＥ  ＢＩＮＡＲＹ
ＧＲＯＵＰのパックには、ＳＭＰＴＥタイムコードのバイナリーグループデータが記録される。
【００４６】
図２６の（１）に示されるＡＡＵＸ  ＣＬＯＳＥＤ  ＣＡＰＴＩＯＮのパックには、主音声、第２音声の言語・種類に関するＥＤＳ（Ｅｘｔｅｎｄｅｄ  Ｄａｔａ  Ｓｅｒｖｉｃｅ）のデータが格納される。これらのデータ内容は次のとおりである。
ＭＡＩＮ及び２ＮＤ  ＡＵＤＩＯ  ＬＡＮＧＵＡＧＥ：
０００＝Ｕｎｋｎｏｗｎ
００１＝Ｅｎｇｌｉｓｈ
０１０＝Ｓｐａｎｉｓｈ
０１１＝Ｆｒｅｎｃｈ
１００＝Ｇｅｒｍａｎ
１０１＝Ｉｔａｌｉａｎ
１１０＝Ｏｔｈｅｒｓ
１１１＝Ｎｏｎｅ
ＭＡＩＮ  ＡＵＤＩＯ  ＴＹＰＥ：
０００＝Ｕｎｋｎｏｗｎ
００１＝Ｍｏｎｏ
０１０＝Ｓｉｍｕｌａｔｅｄ  Ｓｔｅｒｅｏ
０１１＝Ｔｒｕｅ  Ｓｔｅｒｅｏ
１００＝Ｓｔｅｒｅｏ
１０１＝Ｄａｔａ  Ｓｅｒｖｉｃｅ
１１０＝Ｏｔｈｅｒｓ
１１１＝Ｎｏｎｅ
２ＮＤ  ＡＵＤＩＯ  ＴＹＰＥ：
０００＝Ｕｎｋｎｏｗｎ
００１＝Ｍｏｎｏ
０１０＝Ｄｅｓｃｒｉｐｔｉｖｅ  Ｖｉｄｅｏ  Ｓｅｒｖｉｃｅ
０１１＝Ｎｏｎ−ｐｒｏｇｒａｍ  Ａｕｄｉｏ
１００＝Ｓｐｅｃｉａｌ  Ｅｆｆｅｃｔｓ
１０１＝Ｄａｔａ  Ｓｅｒｖｉｃｅ
１１０＝Ｏｔｈｅｒｓ
１１１＝Ｎｏｎｅ
【００４７】
ここで、後述するＡＡＵＸメインエリアにＣＬＯＳＥＤ  ＣＡＰＴＩＯＮパックが記録されている場合には、主音声・第２音声の種類はそのパック内の情報に従う。また、ＡＡＵＸメインエリアにＣＬＯＳＥＤ  ＣＡＰＴＩＯＮパックが記録されておらず、その代わりに情報無しパック（このパックの詳細については、後に述べる）が記録されている場合には、主音声・第２音声の種類はＡＡＵＸＳＯＵＲＣＥパック内のＡＵＤＩＯ  ＭＯＤＥの情報に従う。
図２６の（２）〜（５）、及び図２７の〔１〕〜〔３〕に示される各パックは、そのアイテムデータの値から分かるように図２４におけるＶＡＵＸのグループに所属するものであり、画像に関する付随データの記録に使用される。
【００４８】
これらのパックの記録内容について説明すると、図２６の（２）に示されるＶＡＵＸ  ＳＯＵＲＣＥパックには、記録信号源のチャンネル番号、記録信号が白黒信号であるか否かを示すフラグ（Ｂ／Ｗ）、カラーフレーミングを表すコード（ＣＦＬ）、ＣＦＬが有効であるか否かを示すフラグ（ＥＮ）、記録信号源がカメラ／ライン／ケーブル／チューナー／ソフトテープ等のいずれであるかを示すコード（ＳＯＵＲＣＥ  ＣＯＤＥ）、テレビジョン信号の方式に関するデータ（５０／６０、及びＳＴＹＰＥ）、ＵＶ放送／衛星放送等の識別に関するデータ（ＴＵＮＥＲ  ＣＡＴＥＧＯＲＹ）が記録される。
【００４９】
同図の（３）に示されるＶＡＵＸ  ＳＯＵＲＣＥ  ＣＯＮＴＲＯＬパックには、ＳＣＭＳデータ（上位ビットが著作権の有無を表し、下位ビットがオリジナルテープか否かを表す）、ＩＳＲデータ（直前に行われた記録信号がアナログ信号源からのものか否か等を表す）、ＣＭＰデータ（ｃｏｍｐｒｅｓｓｉｏｎの回数を表す）、ＳＳデータ（記録信号がスクランブルされているものであるか否か等の情報を表す）、記録開始フレームか否かを示すフラグ（ＲＥＣ  ＳＴ）、記録される信号が高域のＨＨ信号成分を有するものであるか否かを示すＨＨフラグ（「０」のときＨＨ信号成分有り、「１」のときＨＨ信号成分無しを表す）、オリジナル記録／アフレコ記録／インサート記録等の記録モードデータ（ＲＥＣ  ＭＯＤＥ）が記録されると共に、更に、アスペクト比等に関するデータ（ＢＣＳＹＳ及びＤＩＳＰ）、奇偶フィールドのうちの一方のフィールドの信号のみを２回反復して出力するか否かに関するフラグ（ＦＦ）、フィールド１の期間にフィールド１の信号を出力するかフィールド２の信号を出力するかに関するフラグ（ＦＳ）、フレームの画像データが前のフレームの画像データと異なっているか否かに関するフラグ（ＦＣ）、インターレースであるか否かに関するフラグ（ＩＬ）、記録画像が静止画であるか否かに関するフラグ（ＳＴ）、記録画像がスチルカメラモードで記録されたものであるか否かを示すフラグ（ＳＣ）、及び記録内容のジャンルが記録される。
【００５０】
また、同図の（４）に示されるＶＡＵＸ  ＲＥＣ  ＤＡＴＥパックには記録日に関するデータが記録され、同図の（５）に示されるＶＡＵＸ  ＲＥＣ  ＴＩＭＥパックには記録時間に関するデータが記録される。そして、図２７の〔１〕に示されるＢＩＮＡＲＹ  ＧＲＯＵＰのパックにはタイムコードのバイナリー群のデータが記録される。同図の〔２〕に示されるＣＬＯＳＥＤ  ＣＡＰＴＩＯＮパックにはテレビジョン信号の垂直帰線期間に伝送されるクローズドキャプション情報が記録される。
【００５１】
同図の〔３〕のＶＡＵＸ  ＴＲパックには、主に垂直ブランキング期間に伝送されてくるシステムデータが格納される。この記録されるシステムデータの種類は、ＰＣ１の下位４ビットのＤＡＴＡ  ＴＹＰＥの値に応じて、以下のように定義されている。
００００＝Ｖｉｄｅｏ  ＩＤ  ｄａｔａ
０００１＝ＷＳＳ  ｄａｔａ
００１０＝ＥＤＴＶ−２  ＩＤ  ｉｎ  ２２  ｌｉｎｅ
００１１＝ＥＤＴＶ−２  ＩＤ  ｉｎ  ２８５  ｌｉｎｅ
１１１１＝Ｎｏ  ｉｎｆｏｒｍａｔｉｏｎ
その他＝Ｒｅｓｅｒｖｅｄ
【００５２】
また、同図の〔４〕に示されるパックは、図２３におけるＴＩＴＬＥのグループに属し、テープ上にタイムコードを記録する場合に使用される。
同図の〔５〕に示されるパックは、図２３におけるＣＨＡＰＴＥＲのグループに属し、テープ上のチャプター開始位置の絶対トラック番号が記録される。
【００５３】
図２８の〔１〕に示されるパックには、タイマー予約録画を行う際の録画開始終了時刻が格納され、ＭＩＣに記録して使用される。また、同図の〔２〕に示されるパックは、図２４におけるＳＯＦＴ  ＭＯＤＥのグループに属し、メーカーが独自に付随データを記録する場合に使用される。そして、このパックに続けて上記のグループ内の小アイテム「０００１」〜「１１１０」のうちの任意のパックを記録することによりメーカーの所望の付随データが記録される。
【００５４】
なお、上記の小アイテム「０００１」〜「１１１０」のパックの具体的データフォーマット、及びＭＡＫＥＲ  ＣＯＤＥパックのＰＣ３の第３ビット以降の具体的データフォーマットは各メーカーに開放されており、各メーカーは、これらのフォーマットを随意設定することにより所望のデータを記録することができる。
【００５５】
同図の〔３〕に示されるパックは、文字情報を記録する場合に使用され、特に、本ディジタルＶＴＲにおいてはフルモードと簡易モードとの２種類の文字情報記録モードが準備されているが、このＴＰ  ＨＥＡＤＥＲパックは、フルモード記録の場合に使用される。このフルモード記録は、主に、ソフトテープで大量の文字データを記録する場合に用いられ、このＴＰ  ＨＥＡＤＥＲパックに続けてＴＥＸＴ  ＨＥＡＤＥＲパック及びＴＥＸＴパックを記録して文字データが記録される。
【００５６】
このＴＰ  ＨＥＡＤＥＲパックには、図に示されるように、記録される文字情報の言語の種類を表すＬＡＮＧＡＧＥ  ＴＡＧ、文字情報の種類（ＴＯＣ、ＭＥＮＵ、キャスト、スタッフ、歌詞、等）を表すＴＯＰＩＣ  ＴＡＧ、内容更新フラグ（ＲＥ）、文字データの最終ページユニット番号（ＴＥＮＳ／ＵＮＩＴＳＯＦ  ＬＰＵ）、ページユニット番号（ＴＥＮＳ／ＵＮＩＴＳ  ＯＦ  ＰＵ  ＮＯ．）、１ページ当たりの最大表示文字数を示すＤＭコード、スクロール表示とするか否かを示すＳＣＲＬフラグ、スクロール方向を示すＨ／Ｖフラグ、表示画面を初期化するか否かを示すＩＮＩＴフラグ、及びラスターの色を示すＲＡＳＴＥＲ  ＣＯＬＯＲコードが記録される。
【００５７】
簡易モードによる文字記録においてはＴＰ  ＨＥＡＤＥＲパックは使用されず、ＴＥＸＴ  ＨＥＡＤＥＲパックに続けてＴＥＸＴパックが記録される。これらのパックは、図２３及び図２４に示されるように大アイテム「００００」〜「１０００」の各グループにおける小アイテム「１０００」及び「１００１」に設けられており、ＴＥＸＴ  ＨＥＡＤＥＲパックの１例を図２８の〔４〕に示す。このパックには、このパックに続くＴＥＸＴパックの総数（ＴＤＰ）、文字データの属性（ＴＥＸＴ  ＴＹＰＥ）、文字コードの種類（ＴＥＸＴ  ＣＯＤＥ）、ＴＰ  ＨＥＡＤＥＲで使用するＴＯＰＩＣ  ＴＡＧの定義（ＴＯＰＩＣ  ＴＡＧ）、テープ上において文字データが記録されるエリアを表すＡＲＥＡ  ＮＯ．が記録される。
【００５８】
図２８の〔５〕は、ＴＥＸＴパックの１例を示し、ＰＣ１〜ＰＣ４に文字データが記録される。
なお、詳細な説明は省略するが、文字情報を記録するパックとしては、以上のパックの外に図２４におけるアイテム「０１１００１１１」のＴＥＬＥＴＥＸＴデータを記録するためのＴＥＬＥＴＥＸＴパックがある。
【００５９】
図２９の（１）に示されるＬＩＮＥ  ＨＥＡＤＥＲパックは、主にテレビジョン信号における垂直帰線期間内の所望のラインのデータをＡＤ変換して記録するためのものであり、このラインヘッダーのパックには所望のラインのデータを記録する際の諸条件が格納される。即ち、サンプリングされた水平期間の番号を示すコードＬＩＮＥＳ（２進数）、サンプリング周波数を示すコードｆｒ、量子化ビット数を示すコードＱＵ、記録信号が白黒信号であるか否かをしめすオプショナルコードＢ／Ｗ、カラーフレームを表すコードＣＬＦ、カラーフレームコードＣＬＦが有効であるか無効であるかを指示するフラグＥＮ、ラインデータパックに格納されるラインデータが、第１フィールドのラインと第２フィールドのラインとで共通のデータであるかどうかを示すフラグＣＭ、及びラインヘッダーに後続して記録されるラインデータの総サンプル数ＴＤＳ（２進数）が格納される。
【００６０】
このパックに続けて図２４におけるアイテム「１００００００１」〜「１００００１１１」の各パックのうち所望のパックにＡＤ変換した所望のラインデータを格納してラインデータの記録を行う。この所望のラインデータが格納されるパックの例としてＡＤ変換されたＹデータの格納されるＬＩＮＥ  Ｙパックを図２９の（２）に示す。このパックのＰＣ１〜ＰＣ４に４バイト分のＹデータが格納される。
なお、パックの特殊例として、アイテムコードがオール１のパックは、無情報のパック（Ｎｏ  Ｉｎｆｏｒｍａｔｉｏｎ  パック）として定義され、ＰＣ１〜ＰＣ４には全てＦＦｈが格納される（図２９の（３）参照）。
【００６１】
以上の説明から分かるように、ディジタルＶＴＲでは、付随データの構造が上述のような各エリアに共通なパック構造となっているので、これらのデータを記録再生する場合のソフトウェアを共通にでき、処理が簡単になる。
また記録再生時のタイミングが一定になるために、時間調整のために余分にＲＡＭ等のメモリを設ける必要がなく、さらに新たな機種の開発などの場合にも、そのソフトウェアの開発を容易に行うことができる。
またパック構造にすることによって、例えば再生時にエラーが発生した場合にも、次のパックを容易に取り出すことができる。このためエラーの伝播等によって大量のデータが破壊されてしまうようなことがない。
【００６２】
（７）  付随情報記録エリアの構造
次に、パックを用いて多種多様な付随データが記録されるＡＡＵＸエリア、ＶＡＵＸエリア、ＳＵＢＣＯＤＥのデータエリアの具体的構造について説明する。
▲１▼  ＡＡＵＸエリア
ＡＡＵＸエリアでは、図１５の（２）に示される１ＳＹＮＣブロックのフォーマットにおいて、５バイトのＡＡＵＸエリアで１個のパックが構成される。従って、ＡＡＵＸエリアは１トラックにつき９個のパックで構成される。ＮＴＳＣ方式用ディジタルＶＴＲでは１フレームのデータを１０トラックで記録するので、１フレーム分のＡＡＵＸエリアは図３０のように表される。
【００６３】
この図において１つの区画が１個のパックを表す。そして、区画に記入されている文字Ａ〜Ｆは、それぞれ、図２５の（１）〜（５）及び図２６の（１）に示される６個のパックを表し、これらの６種類のパックをメインパックと呼ぶ。これらのメインパックが記録されるエリアをＡＡＵＸメインエリアと言う。また、これ以外のエリアはＡＡＵＸオプショナルエリアと言い、多種多様なパックの中から任意のパックを選んで記録することができる。
【００６４】
▲２▼  ＶＡＵＸエリア
ＶＡＵＸエリアについては、１トラックにおけるＶＡＵＸエリアが図１７に示されるように３個のＳＹＮＣブロックα、β、γから構成され、そのパック個数は、図３１に示されるように１ＳＹＮＣブロックにつき１５個、１トラックで４５個となる。なお、１ＳＹＮＣブロックにおけるエラーコードＣ１の直前の２バイトのエリアは、予備的な記録エリアとして使用する。
【００６５】
１フレーム分のＶＡＵＸエリアについて、そのパック構成を示すと図３２のようになる。この図において文字Ａ〜Ｅで示されるパックは、それぞれ、図２６の（２）〜（５）、及び図２７の〔１〕に示される５個のパックを表し、Ｆ１〜Ｆ５で示されるパックとしては、図２７の〔２〕又は〔３〕のいずれかのパックが記録される。これらのパックＡ〜Ｅ及びＦ１〜Ｆ５は、ＶＡＵＸメインエリアを構成し、このメインエリアはこの図に示されるように、トラック番号の０と１、２と３、４と５、６と７、８と９の各トラックペアにおいて、同一のメインパックが記録されるという特徴を持っている。その外のエリアはＶＡＵＸオプショナルエリアを構成する。
【００６６】
▲３▼  ＳＵＢＣＯＤＥのデータエリア
ＳＵＢＣＯＤＥのデータエリアは、図１９に示されるように、ＳＹＮＣブロック番号０〜１１の各ＳＹＮＣブロックの中に５バイトづつ書き込まれ、それぞれが１パックを構成している。即ち、１トラックで１２個のパックが記録され、そのうちＳＹＮＣブロック番号３〜５及び９〜１１のパックがメインエリアを構成し、その外のパックはオプショナルエリアを構成する。
【００６７】
このＳＵＢＣＯＤＥデータエリアにおける１フレーム分のデータは、図３３に示されるようなフォーマットで反復的に記録される。この図において大文字のアルファベットはメインエリアのパックを表し、ＡはＴＩＴＬＥ  ＴＩＭＥ  ＣＯＤＥパック、ＢはＴＩＴＬＥ  ＴＩＭＥ  ＣＯＤＥパック或るいはそのＢＩＮＡＲＹ  ＧＲＯＵＰＥパック、ＣはＴＩＴＬＥ  ＴＩＭＥ  ＣＯＤＥパック（但し、ソフトテープの場合にはＣＨＡＰＴＥＲ  ＳＴＡＲＴパック）、ＤはＲＥＣＤＡＴＥパック（例えば、ＶＡＵＸ  ＲＥＣ  ＤＡＴＥパック）、ＥはＲＥＣＴＩＭＥパック（例えば、ＶＡＵＸ  ＲＥＣ  ＴＩＭＥパック）をそれぞれ表す。
【００６８】
小文字のアルファベットはオプショナルエリアのパックを表し、このエリアには任意のパックを選択して任意のデータを記録することができる。但し、オプショナルエリアのパックａ〜ｍについても、図に示されるような規則性をもって、反復記録されるという特徴がある。
【００６９】
なお、この図は、ＮＴＳＣ方式用ディジタルＶＴＲのＳＵＢＣＯＤＥのパック構造であるが、ＳＥＣＡＭ方式用ディジタルＶＴＲの場合には、１フレームが１２トラックで構成され、そのＳＵＢＣＯＤＥのパック構造は図３４のようになる。即ち、反復記録の回数が増えるのみである。
【００７０】
なお、以上に説明した各エリアにおけるメインエリアには、あらゆるテープについて共通的な基本のデータ項目に関する付随的情報が格納されたパックが記録されるという特徴がある。一方、オプショナルエリアには、ソフトテープメーカー或るいは、ユーザー等が自由に任意の追加的な付随データを書き込むことができる。
なお、以上に述べた付随データ記録エリアへの付随データの記録再生に関しては様々な規約が設けられている。以下に、この規約を列挙する。
【００７１】
1)  オプショナルエリアに書かれる内容は１ビデオフレームを越えてはならない。但し、文字情報のフルモード記録の場合のみこの限りではない。
2)  オプショナルエリアは、一般ユーザーが付随データを随意記録するだけでなく、メーカーが所望の付随データを記録することもできる。一般ユーザーによる付随データが記録されたエリアをコモンオプショナルエリア、メーカーによる付随データが記録されたエリアをメーカーズオプショナルエリアと呼び、コモンオプショナルエリアは、１ビデオフレーム内において必ずメーカーズオプショナルエリアの前に設けられる。即ち、オプショナルエリアにＭＡＫＥＲ  ＣＯＤＥ  ＰＡＣＫが記録されていた場合は、それ以降１ビデオフレーム終了まで、メーカーズオプショナルエリアとして確保される。
なお、オプショナルエリアに何を書き込むかは自由であるが、エラー訂正能力の低いＳＵＢＣＯＤＥの場合のみ、同じパックの書き込み回数が定義されている。
【００７２】
3)  各メーカー、ＶＴＲセット間でメインエリア、コモンオプショナルエリアの内容の互換性が保証されねばならない。
4)  ディジタルＶＴＲは、オプション対応ＶＴＲとオプション非対抗ＶＴＲとに類別される。
5)  全てのディジタルＶＴＲは、メインエリア、オプショナルエリア全てにデータを書き込まなければならない。
6)  オプション非対応ＶＴＲは、オプショナルエリア全てにＮＯ  ＩＮＦＯパックを書き込まなければならない。
【００７３】
7)  オプション対応ＶＴＲは、次の記録要件を充足しつつ所望のデータをオプショナルエリアに記録することができる。
a.  コモンオプショナルエリアの記録要件
▲１▼  オリジナル記録時には、途中ＮＯ  ＩＮＦＯパックをはさむことなく前詰めで記録する。余ったエリアには、ＮＯ  ＩＮＦＯパックを記録する。
▲２▼  記録の内容、位置、回数、順序については、各メーカーが自由に設定できる。
▲３▼  ＴＥＸＴ、ＴＥＬＥＴＥＸＴのように、連続して同じパックを記録するデータについては、連続性を崩さず記録する（途中の他の種類のパックをはさまない）。
【００７４】
b.  メーカーズオプショナルエリアの記録要件
▲１▼  メーカーズオプショナルエリアを設ける場合は、ＭＡＫＥＲ  ＣＯＤＥパックから始め、パックヘッダーＦＸｈ（但し、Ｘ＝０，１，２，……，Ｅ）のパックのみを使用する。
▲２▼  １つのメーカーが、２つ以上のメーカーズオプションを記録してはならない。例えば図３５の〔１〕に示すように、全く同一の記録内容を反復して記録することは規約違反にならないが同図の〔２〕に示されるようにメーカーが同一のＭＡＫＥＲ  ＣＯＤＥパックを用いて異なるオプショナルデータを記録することは規約違反であり認められない。尚、この図の〔３〕に示されるように異なるＭＡＫＥＲ  ＣＯＤＥパックを用いてそれぞれ異なるオプショナルデータを記録することは規約違反とならない。
【００７５】
8)  全てのＶＴＲは、再生時、メインエリアの内容全てを読み込み、必要な処理をしなければならない。
9)  オプション非対応ＶＴＲは、再生時のオプショナルエリアの内容については関知することなくそのまま出力する。
10）オプション対応ＶＴＲは、再生時、オプショナルエリアの内容を全て読み込まなければならない。（互換性確保のため、一部のエリアのみ読みだすことは禁止されている）
【００７６】
11) オプション対応ＶＴＲは、再生時オプショナルエリアから読み取ったデータの内、そのＶＴＲが記録可能なオプショナルデータについては必ず必要な処理をしなけれはならないが、そのＶＴＲが記録不能なオプショナルデータの再生時における処理についてはセットマターである。
例えば、コモンオプショナルエリアにパックＡのみを記録再生するＶＴＲの場合、再生時に全てのコモンオプショナルエリアをサーチして、パックＡを探す。
このとき、多数回書きに対しても相当の処理を行ない、１ビデオフレーム終了時点でデータを確定させる。
パックＡ及びＮＯ  ＩＮＦＯパック以外のパックを見つけた場合、それをどう扱うかは、セットマターである。
また、メーカーズオプショナルエリアの再生データの処理については、自分のメーカーコードのメーカーズオプション及び自分のメーカーコード以外のメーカーズオプションをどう扱うかは、セットマターである。
【００７７】
（８）  アプリケーションＩＤシステム
以上、ディジタルＶＴＲの記録フォーマットについて説明したが、このフォーマットは、ディジタルＶＴＲに限らずそれ以外の種々のディジタル信号記録再生装置として容易に商品展開できるように基本設計されている。そして、前述のフォーマットの説明の中で現れたＩＤデータＡＰＴ，ＡＰ１〜ＡＰ３，及びＭＩＣの中に記録されるＩＤデータＡＰＭが、このような種々のディジタル信号記録装置への展開を可能ならしめる役割を担うものであり、これらのＩＤデータを一括してアプリケーションＩＤと呼ぶ。
【００７８】
そこで、次に、このアプリケーションＩＤシステムについて補足説明する。
なお、上記のアプリケーションＩＤは、ディジタルＶＴＲの応用例を決めるＩＤではなく単に記録媒体のエリアのデータ構造を決定するだけのＩＤであり、ＡＰＴ及びＡＰＭについては前述のとおり以下の意味付けがなされている。
ＡＰＴ・・・トラック上のデータ構造を決める。
ＡＰＭ・・・ＭＩＣのデータ構造を決める。
【００７９】
即ち、まず、ＡＰＴの値により、このディジタル信号記録再生装置におけるトラック上のデータ構造が規定される。つまり、ＩＴＩエリア以降のトラックが、ＡＰＴの値に応じて図３６のようにいくつかのエリアに分割され、それらのトラック上の位置、ＳＹＮＣブロック構成、エラーからデータを保護するためのＥＣＣ構成等のデータ構造が一義的に決まる。さらに各エリアには、それぞれそのエリアのデータ構造を決めるアプリケーションＩＤが存在する。その意味付けは以下のようになる。
エリアｎのアプリケーションＩＤ・・・エリアｎのデータ構造を決める。
【００８０】
そして、テープ上のアプリケーションＩＤは、図３７のような階層構造を持つ。即ち、おおもとのアプリケーションＩＤであるＡＰＴによりトラック上のエリアが規定され、その各エリアにさらにＡＰ１〜ＡＰｎが規定される。エリアの数は、ＡＰＴにより定義される。図３７では二階層で書いてあるが、必要ならさらにその下に階層を設けてもよい。このようにＡＰＴ，ＡＰ１〜ＡＰｎの値を指定することによって、このディジタル信号記録再生装置の具体的信号処理の構成及び該装置の用途が特定される。
【００８１】
なお、ＭＩＣ内のアプリケーションＩＤであるＡＰＭは一階層のみであり、その値は、そのディジタル信号記録再生装置によりそのＡＰＴと同じ値が書き込まれる。
このアプリケーションＩＤシステムにより、前述のディジタルＶＴＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作り上げることが可能である。また１つのエリアが決まっても、その中味をさらにそのエリアのアプリケーションＩＤで定義できるので、あるアプリケーションＩＤの値の時はそこはビデオデータ、別の値の時はビデオ・オーディオデータ、またはコンピューターデータというように非常に広範な商品展開が可能である。
【００８２】
次に、アプリケーションＩＤの値が指定された場合の具体例について説明する。
まず、ＡＰＴ＝０００の時の様子を図３８に示す。この時トラック上にエリア１、エリア２、エリア３が規定される。そしてそれらのトラック上の位置、ＳＹＮＣブロック構成、エラーからデータを保護するためのＥＣＣ構成、それに各エリアを保証するためのギャップや重ね書きを保証するためのオーバイライトマージンが決まる。さらに各エリアには、それぞれそのエリアのデータ構造を決めるアプリケーションＩＤが存在する。その意味付けは以下のようになる。
【００８３】
ＡＰ１・・・エリア１のデータ構造を決める。
ＡＰ２・・・エリア２のデータ構造を決める。
ＡＰ３・・・エリア３のデータ構造を決める。
そしてこの各エリアのＡｐｐｌｉｃａｔｉｏｎ  ＩＤが、０００の時を以下のように定義する。
【００８４】
ＡＰ１＝０００・・・画像圧縮記録方式民生用ディジタルＶＴＲのオーディオ、ＡＡＵＸのデータ構造を採る
ＡＰ２＝０００・・・画像圧縮記録方式民生用ディジタルＶＴＲのオーディオ、ＡＡＵＸのデータ構造を採る
ＡＰ３＝０００・・・画像圧縮記録方式民生用ディジタルＶＴＲのサブコード、ＩＤのデータ構造を採る
即ち、画像圧縮記録方式民生用ディジタルＶＴＲを実現するときは、ＡＰＴ、ＡＰ１、ＡＰ２、ＡＰ３＝０００となる。このとき、当然、ＡＰＭも０００となる。
【００８５】
２．ディジタルＶＴＲの記録回路
ディジタルＶＴＲでは、以上に説明した記録フォーマットに従ってテープへの記録が行われるが、次に、このような記録を実行する記録回路の具体的構成及びその動作について説明する。
かかる記録回路の構成を図３９に示す。
【００８６】
この図において、入力されたＹ，Ｒ−Ｙ，Ｒ−Ｙの各コンポーネント信号は、Ａ／Ｄ変換器４２へ供給されると共に、Ｙ信号は同期分離回路４４へも供給され、ここで分離された同期信号がクロック発生器４５へ供給される。クロック発生器４５はＡ／Ｄ変換器４２及びブロッキング・シャフリング回路４３のためのクロック信号を生成する。
【００８７】
Ａ／Ｄ変換器４２へ入力されたコンポーネント信号は、Ｙ信号は１３．５ＭＨｚ、色差信号は１３．５／４ＭＨｚのサンプリング周波数でＡ／Ｄ変換が行われる。そして、これらのＡ／Ｄ変換出力のうち有効走査期間のデータＤＹ，ＤＲ，ＤＢのみがブロッキング・シャフリング回路４３へ供給される。
【００８８】
このブロッキング・シャフリング回路４３において、前述のように有効データＤＹ，ＤＲ，ＤＢは、水平方向８サンプル、垂直方向８ラインから構成されるブロックへ変換され、さらにＤＹのブロック４個、ＤＲとＤＢのブロックを１個ずつ、計６個のブロックを単位として画像データの圧縮効率を上げ、且つ再生時のエラーを分散させるためのシャフリングを実行し、次に、圧縮符号化部へ供給される。
【００８９】
圧縮符号化部は、入力された水平方向８サンプル、垂直方向８ラインのブロックデータに対してＤＣＴ（離散コサイン変換）を行う圧縮回路４６、その結果を所定のデータ量まで圧縮できたかを見積もる見積器４８、及びその判断結果を基に最終的に量子化ステップを決定し、可変長符号化を用いたデータ圧縮を行う量子化器４７とから構成される。量子化器４７の出力は、フレーミング回路４９において図１７において説明したフォーマットにフレーム化される。
【００９０】
図３９におけるモード処理マイコン６７は、人間とのマンマシンインターフェースを取り持つマイコンで、テレビジョン信号の垂直同期の周波数に同期して動作する。また、信号処理マイコン５５は、よりマシンに近い側で動作するものであり、ドラムの回転数９０００ｒｐｍ，１５０Ｈｚに同期して動作する。
【００９１】
そして、ＶＡＵＸ，ＡＡＵＸ，ＳＵＢＣＯＤＥの各エリアのパックデータは、基本的にモード処理マイコンで生成されると共に、「タイトルエンド」パック等に格納される絶対トラック番号は信号処理マイコン５５で生成され、後で所定の位置に嵌め込む処理が実行される。ＳＵＢＣＯＤＥ内に格納されるタイムコードデータも信号処理マイコン５５で生成される。
【００９２】
これらの結果は、マイコンとハードウエアとの間を取り持つインターフェースＶＡＵＸ用ＩＣ５６、ＳＵＢＣＯＤＥ用ＩＣ５７及びＡＡＵＸ用ＩＣ５８に与えられる。ＶＡＵＸ用ＩＣ５６は、タイミングをはかって合成器５０でフレーミング回路４９の出力と合成する。また、ＳＵＢＣＯＤＥ用ＩＣ５７は、ＡＰ３、ＳＵＢＣＯＤＥのＩＤであるＳＩＤ、及びＳＵＢＣＯＤＥのパックデータＳＤＡＴＡを生成する。
【００９３】
一方、入力オーディオ信号はＡ／Ｄ変換器５１によりディジタルオーディオ信号に変換される。なお、ビデオ信号及びオーディオ信号のＡＤ変換の際には、この図には示されていないが、サンプリング回路の前段にそのサンプリング周波数に応じたＬＰＦを設けることが必要である。ＡＤ変換されたオーディオデータは、シャフリング回路５２によりデータの分散処理を受けた後、フレーミング回路５３において図１５において説明したフォーマットにフレーム化される。この時ＡＡＵＸ用ＩＣ５８は、ＡＡＵＸのパックデータを生成しタイミングを見計らって、合成回路５４にてオーディオのＳＹＮＣブロック内の所定の場所にそれらを詰め込む。
【００９４】
発生器５９では、ＡＶ（Ａｕｄｉｏ／Ｖｉｄｅｏ）の各ＩＤ部とプリＳＹＮＣ、ポストＳＹＮＣの生成を行う。ここでは、ＡＰ１、ＡＰ２も生成し所定のＩＤ部にはめ込む。発生器５９の出力と、ＡＤＡＴＡ（ＡＵＤＩＯ  ＤＡＴＡ）、ＶＤＡＴＡ（ＶＩＤＥＯ  ＤＡＴＡ）、ＳＩＤ（ＳＵＢＣＯＤＥ  ＩＤ）、ＳＤＡＴＡ（ＳＵＢＣＯＤＥ  ＤＡＴＡ）は、第１のスイッチング回路ＳＷ１によりタイミングを見て切り換えられる。
【００９５】
そして、第１のスイッチング回路ＳＷ１の出力はパリティ生成回路６０において、所定のパリティが付加され、乱数化回路６１、２４／２５変換回路６２へ供給される。ここで、乱数化回路６１はデータの直流成分をなくすために入力データを乱数化する。また、２４／２５変換回路６２は、データの２４ビット毎に１ビットを付加してパイロット信号成分を付与する処理、及びディジタル記録に適したプリコード処理（パーシャルレスポンスクラスＩＶ）を行う。
【００９６】
こうして得られたデータは合成器６３へ供給され、ここでＡ／Ｖ  ＳＹＮＣ，及びＳＵＢＣＯＤＥ  ＳＹＮＣの発生器６４が生成したオーディオ、ビデオ及びＳＵＢＣＯＤＥのＳＹＮＣパターンが合成される。合成器６３の出力は第２のスイッチング回路ＳＷ２へ供給される。また、ＩＴＩ発生器６５が出力するＩＴＩデータとアンブルパターン発生器６６が出力するアンブルパターンも、第２のスイッチング回路ＳＷ２へ供給される。これらの乱数化回路６１、２４／２５変換回路６２、合成器６３、スイッチＳＷ２によってチャンネルエンコーダが構成される。
【００９７】
ＩＴＩ発生器６５には、モード処理マイコン６７からＡＰＴ，ＳＰ／ＬＰ，ＰＦの各データが供給される。ＩＴＩ発生器６５はこれらのデータをＴＩＡの所定の位置に嵌め込んで第２のスイッチング回路ＳＷ２へ供給する。したがって、スイッチング回路ＳＷ２を所定のタイミングで切り替えることにより、合成器６３の出力にアンブルパターン及びＩＴＩデータが付加される。第２のスイッチング回路ＳＷ２の出力は記録アンプ２０１及び２０４により増幅され、マイナスアジマスの記録ヘッド２０２及びプラスアジマスの記録ヘッド２０３により磁気テープ（図示せず）に記録される。
【００９８】
モード処理マイコン６７はディジタルＶＴＲ全体のモード管理を行う。このマイコンに接続された第３のスイッチング回路ＳＷ３は、ＶＴＲ本体の外部スイッチで、記録動作及び再生動作等に限らずその外の様々な動作を指示するスイッチ群であり、このなかにはＳＰ／ＬＰの記録モード設定スイッチも含まれている。このスイッチ群による設定結果はモード処理マイコン６７により検出され、マイコン間通信により信号処理マイコン５５、ＭＩＣマイコン６９及びメカ制御マイコンへ与えられる。
【００９９】
以上の一連の記録動作は、モード処理マイコン６７を中心に、メカ制御マイコンや信号処理マイコン５５と各パート担当のＩＣとの連携動作で行われる。
なお、ＭＩＣマイコン６９はＭＩＣ処理用のマイコンである。ここでＭＩＣ内のパックデータやＡＰＭ等を生成し、ＭＩＣ接点（図示せず）を介してＭＩＣ付きカセット（図示せず）内のＭＩＣ６８へ与える。
【０１００】
３．ディジタルＶＴＲの再生回路
次に、ディジタルＶＴＲの再生回路の詳細を、図４０及び図４１を参照しながら説明する。
図４０において、再生ヘッド９９１及び９９４により磁気テープ（図示せず）から再生された微弱信号は、ヘッドアンプ９９２及び９９３により増幅され、イコライザー回路７１へ加えられる。イコライザー回路７１は、記録時に磁気テープと磁気ヘッドとの電磁変換特性を向上させるために行ったエンファシス処理（例えばパーシャルレスポンスクラスＩＶ）の逆処理を行うものである。
【０１０１】
イコライザー回路７１の出力からクロック抽出回路７２によりクロックＣＫを抜き出す。このクロックＣＫをＡ／Ｄ変換器７３へ供給し、イコライザー回路７１の出力をディジタル値化する。こうして得られた１ビットデータをクロックＣＫを用いてＦＩＦＯ７４に書き込む。
このクロックＣＫは、回転ヘッドドラムのジッター成分を含んだ時間的に不安定な信号である。しかしＡ／Ｄ変換する前のデータ自身もジッター成分を含んでいるので、サンプリングすること自体には問題はない。ところが、これから画像データ等を抜き出す時には、時間的に安定したデータになっていないと取り出せないので、ＦＩＦＯ７４を用いて時間軸調整を行う。つまり書き込みは不安定なクロックで行うが、読み出しは水晶発信子等を用いた自励発信器（図示せず）からの安定したクロックＳＣＫで行う。ＦＩＦＯ７４の深さとしては、入力データの入力スピードよりも速く読み出さないような余裕のあるものにする。
【０１０２】
ＦＩＦＯ７４の各段の出力はＳＹＮＣパターン検出回路７５に加えられる。ここには、第５のスイッチング回路ＳＷ５により、各エリアのＳＹＮＣパターンが、タイミング回路７９により切り替えられて与えられる。ＳＹＮＣパターン検出回路７５はフライホイール構成になっており、一度ＳＹＮＣパターンを検出すると、それから所定のＳＹＮＣブロック長後に再び同じＳＹＮＣパターンが来るかどうかを見る。それが例えば３回以上正しければ真とみなすような構成にして、誤検出を防いでいる。ＦＩＦＯ７４の深さはこの数分は必要である。
【０１０３】
こうしてＳＹＮＣパターンが検出されると、ＦＩＦＯ７４の各段の出力からどの部分を抜き出せば一つのＳＹＮＣブロックが取り出せるか、そのシフト量が決定されるので、それを基に第４のスイッチング回路ＳＷ４を閉じて、必要なビットをＳＹＮＣブロック確定ラッチ７７に取り込む。これにより、取り込んだＳＹＮＣ番号をＳＹＮＣ番号抽出回路７８において取り出し、タイミング回路７９へ供給する。この読み込んだＳＹＮＣ番号によりトラック上のどの位置をヘッドが走査しているかがわかるので、それにより第５のスイッチング回路ＳＷ５及び第６のスイッチング回路ＳＷ６を切り替える。
以上の回路７２〜７５、及び７７〜７９によっていわゆるタイムベースコレクター（ＴＢＣ）が構成される。
【０１０４】
第６のスイッチング回路ＳＷ６は、ヘッドがＩＴＩエリアを走査している時下側に切り替わっており、減算器８０によりＩＴＩＳＹＮＣパターンを取り除いて、ＩＴＩデコーダ８１に加える。ＩＴＩエリアはコーディングして記録してあるので、それをデコードすることにより、ＡＰＴ、ＳＰ／ＬＰ、ＰＦの各データを取り出せる。これらのデータは、モード処理マイコン８２へ与えられる。なお、このモード処理マイコン８２には、ＳＰ／ＬＰモード等の種々の指令を入力するためのスイッチ群である第７のスイッチング回路ＳＷ７が接続されている。モード処理マイコン８２はディジタルＶＴＲ全体の動作モード等を決めるものであり、メカ制御マイコン８５や図４１における信号処理マイコン１００と連携を取って、セット全体のシステムコントロールを行う。
【０１０５】
モード処理マイコン８２には、ＡＰＭ等を管理するＭＩＣマイコン８３が接続されている。ＭＩＣ付きカセット（図示せず）内のＭＩＣ８４からの情報は、ＭＩＣ接点スイッチ（図示せず）を介してこのＭＩＣマイコン８３に与えられ、モード処理マイコン８２と役割分担しながら、ＭＩＣの処理を行う。セットによっては、このＭＩＣマイコン８３を省略してモード処理マイコン８２でＭＩＣ処理を行うように構成することもできる。
【０１０６】
ヘッドがオーディオエリア、ビデオエリア、或るいはＳＵＢＣＯＤＥエリアを走査している時には、第６のスイッチング回路ＳＷ６は上側に切り替わっている。減算器８６により各エリアのＳＹＮＣパターンを抜き出した後、２４／２５逆変換回路８７を通し、さらに逆乱数化回路８８に加えて、元のデータ列に戻す。こうして取り出したデータをエラー訂正回路８９に加える。
【０１０７】
エラー訂正回路８９では、記録側で付加されたパリティを用いて、エラーデータの検出、訂正を行うが、どうしても取りきれなかったデータはＥＲＲＯＲフラグをつけて出力する。各データは第８のスイッチング回路ＳＷ８により切り替えられて出力される。ＡＶ  ＩＤ，プリＳＹＮＣ，ポストＳＹＮＣ抽出回路９０は、Ａ／Ｖエリア及びプリＳＹＮＣとポストＳＹＮＣに格納されていたＳＹＮＣ番号、トラック番号、それにプリＳＹＮＣに格納されていたＳＰ／ＬＰの各信号を抜き出す。これらはタイミング回路７９に与えられ各種タイミングの生成に使用される。なお、上記抽出回路９０においては、ＡＰ１、ＡＰ２も抜き出され、これはモード処理マイコン８２ヘ供給されてチェックが行われる。ＡＰ１、ＡＰ２＝０００の時には通常通り動作するが、それ以外の値の時は警告処理等のウォーニング動作を行う。
【０１０８】
ＳＰ／ＬＰについては、モード処理マイコン８２がＩＴＩから得られたものとの比較検討を行う。ＩＴＩエリアには、その中のＴＩＡエリアに３回ＳＰ／ＬＰ情報が書かれており、そこだけで多数決等を取って信頼性を高める。プリＳＹＮＣは、オーディオ、ビデオにそれぞれ２ＳＹＮＣづつあり、計４箇所ＳＰ／ＬＰ情報が書かれている。ここもそこだけで多数決等を取って信頼性を高める。そして最終的に両者が一致しなかった場合には、ＩＴＩエリアのものを優先して採用する。
【０１０９】
第８のスイッチング回路ＳＷ８から出力されたＶＤＡＴＡは、図４１に示される第９のスイッチング回路ＳＷ９によりビデオデータとビデオ付随データに切り分けられる。そして、ビデオデータはエラーフラグと共にデフレーミング回路９４に与えられる。
デフレーミング回路９４は記録側のフレーミングの逆変換をする所で、その中に詰め込まれたデータの性質を把握している。そして、あるデータに取りきれなかったエラーがあったとき、それがそのほかのデータにどう影響を及ぼすかを理解しているので、ここで伝播エラー処理を行う。これによりＥＲＲＯＲフラグは、新たに伝播エラーを含んだＶＥＲＲＯＲフラグとなる。また、エラーを有するデータであっても画像再現上重要でないものは、その画像データにある細工をして、エラーフラグを消してしまう処理も、このデフレーミング回路９４で行う。
【０１１０】
ビデオデータは逆量子化回路９５、逆圧縮回路９６を通して、圧縮前のデータに戻される。次にデシャフリング・デブロッキング回路９７により、データをもとの画像空間配置に戻す。この実画像空間にデータを戻して初めて、ＶＥＲＲＯＲフラグを基に画像の補修が可能になる。つまり、例えば常に１フレーム前の画像データをメモリに記憶させておき、エラーとなった画像ブロックを前の画像データで代用してしまうような処理が行われる。
【０１１１】
さてデシャフリング以降は、ＤＹ，ＤＲ，ＤＢの３系統にデータを分けて扱う。そしてＤ／Ａ変換器１０１〜１０３によりＹ、Ｒ−Ｙ、Ｂ−Ｙの各アナログ成分に戻される。この時のクロックは、Ｙについては１３．５ＭＨZ 、Ｒ−Ｙ、Ｂ−Ｙについては３．３７５ＭＨZ である。
こうして得られた３つの信号成分は、Ｙ／Ｃ合成回路１０４において合成され、さらに合成器１０５において同期信号発生回路９３からのコンポジット同期信号と合成され、コンポジットビデオ信号として端子１０６から出力される。
【０１１２】
第８のスイッチング回路ＳＷ８から出力されたＡＤＡＴＡは、図４１に示される第１０のスイッチング回路ＳＷ１０によりオーディオデータとオーディオ付随データに切り分けられる。そして、オーディオデータはＥＲＲＯＲフラグと共にデフレーミング回路１０７に与えられる。
【０１１３】
デフレーミング回路１０７は、記録側のフレーミングの逆変換をする所で、その中に詰め込まれたデータの性質を把握している。そして、あるデータに取りきれなかったエラーがあったとき、それがそのほかのデータにどう影響を及ぼすかを理解しているので、ここで伝播エラー処理を行う。例えば、１６ビットサンプリングの時、１つのデータは８ビット単位なので、１つのＥＲＲＯＲフラグは、新たに伝播エラーを含んだＡＥＲＲＯＲフラグとなる。
【０１１４】
オーディオデータは、次のデシャフリング回路１０８により元の時間軸上に戻される。この時、先ほどのＡＥＲＲＯＲフラグを基にオーディオデータの補修作業を行う。つまり、エラー直前の音で代用する前値ホールド等の処理を行う。エラー期間があまりに長く、補修が効かない場合には、ミューティング等の処置をして音そのものを止めてしまう。
【０１１５】
このような処置をした後、Ｄ／Ａ変換器１０９によりアナログ値に戻し、画像データとのリップシンク等のタイミングを取りながら、アナログオーディオ出力端子１１０から出力する。
さて、第９のスイッチング回路ＳＷ９及び第１０のスイッチング回路ＳＷ１０により切り分けられたＶＡＵＸ、ＡＡＵＸの各データは、それぞれＶＡＵＸ用ＩＣ９８及びＡＡＵＸ用ＩＣ１１１においてエラーフラグも参考にしながら多数決処理等の前処理を行う。
【０１１６】
また、第８のスイッチング回路ＳＷ８から出力されたＳＵＢＣＯＤＥエリアのＩＤデータＳＩＤとパックデータＳＤＡＴＡは、ＳＵＢＣＯＤＥ用ＩＣ１１２に与えられ、ここでもエラーフラグも参考にしながら多数決処理等の前処理を行う。これらの前処理が行われたデータは、その後、信号処理マイコン１００に与えられ、最終的な読み取り動作を行う。そして、前処理において取りきれなかったエラーは、それぞれＶＡＵＸＥＲ、ＳＵＢＥＲ、ＡＡＵＸＥＲとして信号処理マイコン１００に与えられる。
【０１１７】
ここでＳＵＢＣＯＤＥ用ＩＣ１１２はＡＰ３、及びＡＰＴを抜き出し、これらを信号処理マイコン１００を介してモード処理マイコン８２に渡してチェックをする。モード処理マイコン８２は、ＩＴＩからのＡＰＴ、及びＳＵＢＣＯＤＥからのＡＰＴにもとづいてＡＰＴの値を確定すると共に、この値が「０００」でない時は警告処理等の動作を行う。また、ＡＰ３＝０００の時には通常通り動作するが、それ以外の値の時は警告処理等のウォーニング動作を行う。
【０１１８】
４．付随データの記録再生
最後に、本発明の課題とする以上のディジタルＶＴＲにおける付随データの記録再生に関して、ＶＡＵＸパックデータの記録、ＡＡＵＸパックデータの記録、ＳＵＢＣＯＤＥデータの記録、及びパックデータの再生処理に分けて詳細に説明する。
【０１１９】
（１）  ＶＡＵＸパックデータの記録
まず、図３９におけるＶＡＵＸパックデータの記録回路を説明する。図４２によりその全体の流れを説明する。まずモード処理マイコン６７でＶＡＵＸに格納すべきパックデータを生成する。それをＰ／Ｓ変換回路１１８にてシリアルデータに変換し、マイコン間の通信プロトコルに従って信号処理マイコン５５に送る。ここでＳ／Ｐ変換回路１１９にてパラレルデータに戻し、スイッチ１２２を介してバッファメモリ１２３に格納する。
【０１２０】
送られたパックデータのうちその５バイト毎の先頭のヘッダー部をパックヘッダー検出回路１２０にて抜き出し、そのパックが絶対トラック番号を必要とするパックかどうかを調べる。必要ならスイッチ１２２を切り換えて絶対トラック番号生成回路１２１から２３ビットの絶対トラック番号データを格納する。
【０１２１】
ここで回路１１９は、マイコン内にあるシリアルＩ／Ｏであり、回路１２０、１２１、１２２はマイコンプログラムで構成され、回路１２３は、マイコン内のＲＡＭである。このようにパック構造の処理は、わざわざハードで組まなくても、マイコンの処理時間で間に合うためコスト的に有利なマイコンを使用する。
こうしてバッファメモリ１２３に格納されたデータは、ＶＡＵＸ用ＩＣ５６のライト側タイミングコントローラ１２５からの指示により、順々に読みだされる。この時前半の６パック分はメインエリア用、その後の３９０パック分はオプショナルエリア用として、スイッチ１２４を切り換える。
ここで、メインエリア用のＦＩＦＯ１２６は３０バイト（６パック分）、オプショナルエリアのＦＩＦＯ１２７は１９５０バイト（３９０パック分）の記憶容量を持つ。
【０１２２】
ＶＡＵＸは、図４３の〔１〕に示されるようにトラック内ＳＹＮＣ番号１９、２０、１５６の所に格納される。またフレーム内トラック番号が、１、３、５、７、９の時、＋アジマスでＳＹＮＣ番号１９の前半にメインエリアが、フレーム内トラック番号が、０、２、４、６、８の時、−アジマスでＳＹＮＣ番号１５６の後半にメインエリアがある。これを１ビデオフレームでまとめて描いたのが、図４３の〔２〕である。このようにタイミング信号ｎＭＡＩＮ＝「Ｌ」の時が、メインエリアとなる。このような信号をリード側タイミングコントローラ１２９にて生成し、スイッチ１２８を切り換えその出力を合成回路５０へ渡す。
【０１２３】
各メインエリアの６番目のパックに、ＶＡＵＸＴＲパックやＣｌｏｓｅｄ  Ｃａｐｔｉｏｎパックを１種類だけ記録する場合には、メインパックは、１フレームにつき１回だけＦＩＦＯメモリ１２６へ書き込まれ、ｎＭＡＩＮ＝「Ｌ」の時に、メインエリア用ＦＩＦＯ１２６のデータを繰り返し１０回（５２５／６０）、或いは、１２回（６２５／５０）読み出される。
各メインエリアの６番目のパックに、ＶＡＵＸ  ＴＲパックやＣｌｏｓｅｄ
Ｃａｐｔｉｏｎパックを複数種類記録する場合には、各トラックペア毎にこのメインエリア用のＦＩＦＯ１２６へ６個のメインパックが書き込まれる。即ち、１フレームにつき５回ＦＩＦＯメモリ１２６への書込みが行われる。そして、ｎＭＡＩＮ＝「Ｌ」の時、メインエリア用ＦＩＦＯ１２６のデータは２回づつ読み出される。これは、図３２に示されるように、ＶＡＵＸのメインエリアはトラックペア単位で必ず同じ値であるからである。ｎＭＡＩＮ＝「Ｈ」の時は、オプショナルエリア用ＦＩＦＯ１２７を読みだす。これは、１ビデオフレームに一回だけ読み出される。
【０１２４】
なお、実際には、ＴＲパックやＣｌｏｓｅｄ  Ｃａｐｔｉｏｎパックを複数記録する場合が多いので、通常は、各トラックペア毎に６個のメインパックデータがこのメインエリア用のＦＩＦＯ１２６に書き込まれる。各トラックペア毎というのは実際のトラックペア書き込み時間のことで、その時間に１トラック分のデータを１回書き込む。これは、信号処理マイコン５５やモード処理マイコン６７の処理に要する時間が、１トラック書き込む時間だけでは間に合わないので、以上のようにすることにより、２トラック分の時間を確保している。
【０１２５】
以上に説明したＶＡＵＸ用ＩＣ５６を使用することにより、１フレームに付き６０個のメインパックと３９０個のオプショナルパックを記録することができるが、特にオプショナルデータについてこのように大量のパックを記録することは、例えば前述のＴＥＸＴパック或いはＴＥＬＥＴＥＸＴパックを用いて文字情報を大量に記録する場合とか、あるいはラインパックを用いて所望のラインのデータを記録する場合等に限られ、一般ユーザー向けのＶＴＲセットの場合にはこのような大量なオプショナルパックを記録する必要はほとんどないものと考えることができる。すなわち、通常のユーザー向けのセットの場合には、１フレームに記録するオプショナルデータ量として、１トラック分の３９パック程度でも十分であり、図４２に示されるＶＡＵＸ用ＩＣ５６のように３９０パック分もの大容量のオプショナルエリア用ＦＩＦＯメモリを使用することはコスト的にも望ましくない。
【０１２６】
そこで、次にＶＡＵＸオプショナルデータとしてコモンオプショナルデータ或いはメーカーズオプショナルデータをそれぞれ１フレームにつき、最大３９パック記録できるように構成した本発明に基づくＶＡＵＸデータ記録回路の実施例について説明する。このＶＡＵＸデータ記録回路では、１つのトラックに記録されるオプショナルデータを他のトラックにおいてもそのまま反復して記録することにより、１フレーム期間のオプショナルデータの記録を行う。
【０１２７】
なお、この場合、前述のオプショナルデータの記録に関する規約において、特にその7)のａ．の▲１▼により、オプショナルエリアに記録するパックは先頭方向に詰めて記録し、途中にＮＯ  ＩＮＦＯパック等を記録して分断してはならないと規定されている。そのため、例えば３０個のオプショナルパックを記録し、残りの９パックをＮＯ  ＩＮＦＯパックで埋めて１トラック分のオプショナルデータを構成し、この３９パック分のオプショナルデータをくり返して各トラックに記録するという方法は採用できない。そこで、本実施例においてはこのＮＯ  ＩＮＦＯパックに代え、図２３および図２４において公開されているパックのうち、特定のパックのアイテム部以外のデータ部を全て無効（オール１）にしたものをその１トラックオプショナル空間のあまったエリアに記録するように構成する。これにより、上記の規約に違反することなくオプショナルデータの反復記録を行うことができる。また、ＶＴＲセットがそのパックに対応した処理を行うＶＴＲであっても、このパックの内容は無効なので何の動作もせず、誤動作することがない。即ち、このパックはダミーパックとして機能することになる。
【０１２８】
そして、このようなダミーパックとしては、記録されるオプショナルデータがコモンオプショナルデータである場合には、大アイテムが「００００」ないし「１１１０」の範囲内に属するパックを使用する。具体例を挙げると、例えば図４４の〔１〕に示すパックを用いる。これは図２８の〔１〕に示したＴＩＭＥＲ
ＡＣＴ  Ｓ／Ｓパックの内容をオール１にしたものであり、このパックは本来ＭＩＣ内に記録されるものであり、テープ上に記録する必然性が無いものであるから、ダミーパックとして採用するのに好適である。そして、たとえテープ上に記録されたＴＩＭＥＲ  ＡＣＴ  Ｓ／Ｓパックに対応して処理を行うＶＴＲセットが存在しても、内容が無情報とされているので誤動作を起こすことはない。
【０１２９】
また、記録されるオプショナルデータがメーカーズオプショナルデータの場合には、大アイテムが「１１１１」のパック（但し、ＭＡＫＥＲ  ＣＯＤＥパックとＮＯ  ＩＮＦＯパックは除く）を使用する（これにより、前述のオプショナルデータの記録に関する規約におけるメーカーズオプショナルエリアの記録要件の▲１▼が充足される）。具体例を挙げると、例えば図４４の〔２〕に示されるようにアイテムがＦＥｈのパックでそのデータをオール１としたものを使用する。
【０１３０】
以上のような考えに基づき、図４２におけるオプショナルエリア用ＦＩＦＯ１２７として３９パック分の記憶容量を持つメモリを採用した場合のＶＡＵＸデータの記録パターンについて、図４５及び図１〜図３を参照して説明する。
まず、記録されるオプショナルデータがコモンオプショナルデータのみである場合の記録パターンの例を図４５に示す。この図は、ユーザーによって３４個のコモンオプショナルパックの記録のみが指示され、この指示に基づいて、モード処理マイコンにおいて、ＰＡＣＫ  ＮＯ．が０から３３迄の３４個のコモンオプショナルパックが生成されると共に、残りの５個のコモンオプショナルパックとして、前述のパックヘッダーが０３ｈであるダミーパックが自動的に生成され、これらの合計３９個のコモンオプショナルパックがＦＩＦＯメモリ１２７に書き込まれた後、１０回反復して読み出されることにより１フレーム分のＶＡＵＸオプショナルデータの記録が行われた状態を表している。
【０１３１】
次に、記録されるオプショナルデータがコモンオプショナルデータとメーカーズオプショナルデータの両方からなる場合の例を図１により説明する。
この図は、ユーザーによって３６個のコモンオプショナルパックの記録が指示されると共に、この他にメーカーによる３４個のメーカーズオプショナルパックの記録が指示されている場合の記録パックを表したものである。
【０１３２】
即ち、この図において、トラック番号０〜５までの各トラックにおけるパックの記録は図４５の場合と同様にして行われるが、トラック番号６のトラックにおけるオプショナルデータ記録動作の直前に、ＦＩＦＯメモリ１２７の内容が３９パック分のメーカーズオプショナルデータに書き換えられる。なお、この３９パック分のメーカーズオプショナルデータとしては、メーカーにより指示されたＭＡＫＥＲ  ＣＯＤＥパック（ＭＰ）を先頭とする３４個のメーカーズオプショナルパックの他に、前述のパックヘッダーがＦＥｈである５個のダミーパックがモード処理マイコンにおいて自動的に生成される。
なお、この図から明らかなように、オプショナルデータについてもトラックペア単位で同じデータが記録されるフォーマットを採用することにより、マイコンにおいて１トラック分のメインパックとオプショナルパックを同様のタイミングで伝送することができ処理が簡単となる。
【０１３３】
また、記録されるオプショナルデータがメーカーズオプショナルデータのみである場合の記録パターンの例を図２に示す。この図は、ユーザーからコモンオプショナルパックの記録指示が入力されず、メーカーによる３１パック分のメーカーズオプショナルデータの記録のみが指示されている場合の記録パターンの例であり、モード処理マイコンでは３１個のメーカーズオプショナルパックが生成されると共に、８個のダミーパックが自動的に生成され、合計３９個のメーカーズオプショナルパックが１０トラックにわたって反復記録される。
【０１３４】
最後に、記録されるオプショナルデータが全く存在しない場合の記録パターンを図３に示す。この場合には、この図に示されるように、モード処理マイコンにおいて３９個のＮＯ  ＩＮＦＯパックが自動的に生成され、これが１０トラックにわたって反復記録される。
なお、以上の図４５及び図１〜図３ではパックＡないしＥ及びＦ１ないしＦ５にはすべて入力データが存在したものとして表してあるが、実際には入力データの与えられないメインパック部分、即ち、メインパックが記録されないメインエリア部分の生ずる場合もあり、そのような部分にはモード処理マイコンで自動的にＮＯ  ＩＮＦＯパックが生成されてこれが記録される。
【０１３５】
また、以上に説明した実施例では、記録すべきオプショナルデータとしてコモンオプショナルデータとメーカーズオプショナルデータの両方が存在する場合には、トラック番号６のトラックにおけるオプショナルデータの記録の前にメーカーズオプショナルデータをＦＩＦＯメモリ１２７へ書き込むようにしているが、この書込み動作は、図４２において、モード処理マイコン６７においてコモンオプショナルデータ及びメーカーズオプショナルデータの両者が存在するか否かを判別し、この判別出力をＶＡＵＸ用ＩＣ５６のＷＲＩＴＥ側タイミングコントローラ１２５へ供給することにより実現する。
【０１３６】
以上に述べた実施例では、コモンオプショナルエリアに使用するダミーパックとして、ＴＩＭＥＲ  ＡＣＴ  Ｓ／Ｓパックを利用しているが、もちろんこれ以外のパックを利用することもできる。例えば、図２３及び図２４に示されたパックテーブルにおいて、その大アイテム「０００」ないし「１１１０」のパックにおいて、網点の掛けられていないパックであれば、そのデータ部ＰＣ１ないしＰＣ４のデータをオール１のノーインフォメーションにしてダミーパックとして用いることは勿論できるが、ノーインフォメーョンに置き換えることなく正しいデータが入ったままのものをそのままダミーパックとして用いても特に支障を生ずることはない。
【０１３７】
また、これらの図において網点の掛けられているパックについては、そのデータ部ＰＣ１ないしＰＣ４をノーインフォメーションに置き換えれば、ダミーパックとして使用することができる。ただし、小アイテム「１００１」のＴＥＸＴパックについては、コモンオプショナルエリアにＴＥＸＴ  ＨＥＡＤＥＲパックが記録されていないことが必要であり、また、ＬＩＮＥの大アイテムにおける小アイテム「０００１」ないし「０１１０」の各ラインパックについては、コモンオプショナルエリアにＬＩＮＥ  ＨＥＡＤＥＲパックが記録されていないことが必要である。
また、メーカーズオプショナルエリアに使用するダミーパックとしては、ＳＯＦＴ  ＭＯＤＥの大アイテムにおける小アイテム「０００１」ないし「１１１０」の任意のパックのデータ部をオール１に置き換えたパックをダミーパックとして採用することができる。
【０１３８】
以上のような方法によってＶＡＵＸオプショナルデータを記録することにより、該オプショナルデータ用メモリの容量を少なくできるが、この外に、モード処理マイコンの扱うパックデータ量も少なくなるため、このマイコンの回路規模を縮小でき、マイコン間の通信ライン制御も簡単にできる。
なお、この実施例では、モード処理マイコンにおいて必要なダミーパック、及びＮＯ  ＩＮＦＯパックを生成するようにしているが、このような生成方法を用いる代りに、ＶＡＵＸ用ＩＣ内のメインパック用メモリ及びオプショナルパック用メモリをリセットするためのリセット回路においてこれらのパックを生成することにより、モード処理マイコンの回路規模を更に縮小することも可能である。
【０１３９】
次に、このような考えに基づいて構成されたＶＡＵＸデータ記録回路の実施例を図４及び図５を参照して説明する。
図４の構成において、ＶＡＵＸデータは、信号処理マイコン５５内のバッファメモリ６２６を介してＶＡＵＸ用ＩＣ５６内のＶＡＵＸパックメモリ７２６へ入力され、ここで、信号処理マイコン内のバッファメモリ６２７に格納されたパックヘッダー検出回路１２０の検出出力Ｇ（パックヘッダーデータ）によって制御される書込制御回路６２５により書き込みが行われる。なお、この書込動作に先立ち、リセット回路７２１によってメモリ７２６の内容がリセットされる。このリセット回路７２１は、パックヘッダー検出回路１２０の検出出力Ｇが入力される制御回路６２８により制御される。また、メモリ７２６からの読出動作は同じくバッファメモリ６２７内のパックヘッダーデータに応じて制御される読出制御回路６２９の出力によって実行される。
【０１４０】
ＶＡＵＸ用ＩＣ５６の動作を図５の詳細な回路構成を参照して説明する。
この図５に示されるようにＶＡＵＸパックメモリ７２６は、メインパックメモリ７２７とコモンオプショナルデータ用ＦＩＦＯメモリ７２８とメーカーズオプショナルデータ用ＦＩＦＯメモリ７２９とを備え、信号処理マイコン５５からの入力パックデータは、スイッチ１２４を介してこれらのメモリ７２７ないし７２９へ格納される。
【０１４１】
メインパックメモリ７２７は、図３２におけるメインパックＡないしＥを格納するＦＩＦＯメモリとメインパックＦ１ないしＦ５を格納するメモリとから構成され、コモンオプショナルデータ用ＦＩＦＯメモリ７２８及びメーカーズオプショナルデータ用ＦＩＦＯ７２９はそれぞれ１トラック分のデータを格納できるように３９パック分の記憶容量を有する。そして、信号処理マイコンからのパックデータ入力は、まずスイッチ１２４へ入力されるが、この入力されたパックのヘッダーを示すデータＪも同時にバッファメモリ６２７から書込制御回路６２５へ入力され、書込制御回路は、このパックヘッダーデータＪに応じた切替制御信号をスイッチ１２４へ供給する。この切替制御信号によって、パックデータ入力はそのパックヘッダーの値に応じてメインパック、コモンオプショナルパック、メーカーズオプショナルパックにそれぞれ分離されてメモリ７２７〜７２９に書き込まれる。
【０１４２】
これらのパックの書込動作は、メインパックについては１フレームごとに書き替えが行われ、オプショナルパックについては新たなオプショナルパックデータが入力される毎に随時書き替えが行われる。
尚、これらの書込動作に先立ってあらかじめリセット回路７２１からのリセット信号▲７▼ないし▲９▼によって、メモリ７２７ないし７２９のリセットが行われる。この場合、メインパックメモリ７２７へのリセット信号▲７▼としてはリセット回路７２１内のＮＯ  ＩＮＦＯパック発生回路７３０から出力されるＮＯ  ＩＮＦＯパックが使用され、メーカーズオプショナルデータ用ＦＩＦＯメモリ７２９へのリセット信号▲９▼としては、リセット回路７２１内のダミーパック発生回路７２４から出力される前述のアイテムＦＥｈのパックを利用したダミーパックが使用される。
【０１４３】
また、コモンオプショナルデータ用ＦＩＦＯメモリ７２８へのリセット信号としては、ＶＡＵＸパックメモリ７２６へ入力されるパックデータ中にオプショナルパックが全く存在しない時は、上記のＮＯ  ＩＮＦＯパック発生回路７３０からのＮＯ  ＩＮＦＯパックが使用され、オプショナルパックが存在する時は、リセット回路７２１内のダミーパック発生回路７２５から出力される前述のＴＩＭＥＲ  ＡＣＴ  Ｓ／Ｓパックを利用したダミーパックが使用される。
【０１４４】
即ち、メインパックメモリ７２７におけるパックＡないしＥ及びＦ１ないしＦ５のうち、信号処理マイコンからデータ入力がされなかったパック格納エリアは、その内容がＮＯ  ＩＮＦＯパックのままとなり、メーカーズオプショナルデータ用ＦＩＦＯメモリ７２９においては、信号処理マイコンからデータ入力がなかったパック格納エリアはパックヘッダーＦＥｈのダミーパックのままとなる。また、コモンオプショナルデータ用ＦＩＦＯメモリ７２８においては、ＶＡＵＸパックメモリ７２６へオプショナルパックが何も入力されなかったときは全てのエリアにＮＯ  ＩＮＦＯパックが格納されたままとなり、何らかのオプショナルパックが入力されたときには、信号処理マイコンからデータ入力がなかったＦＩＦＯメモリ７２８のパック格納エリアはパックヘッダー０３ｈのダミーパックのままとなる。
【０１４５】
なお、以上に説明したＦＩＦＯメモリ７２８へ供給されるリセット信号をオプショナルデータの有無に基づいて切り換える動作は、図４における信号処理マイコン内のパックヘッダーデータＧの入力される判別回路６２８の判別出力Ｋによって行われる。
【０１４６】
以上のようにしてパックデータが記憶されたメモリ７２７ないし７２９からのパックデータの読出動作は、図３２に説明したデータフォーマットに従って読出制御回路６２９からの読出制御信号▲４▼ないし▲６▼及びスイッチ１２８の切替制御信号によって実行される。この場合、前述のパックヘッダーデータＪが読出制御回路１２９へ入力されており、読出制御回路１２９は、このデータＪに基づいてＶＡＵＸパックメモリ７２６内にコモンオプショナルデータ及びメーカーズオプショナルデータが存在するかどうかを判断し、この判断結果に応じた読出動作を行う。
【０１４７】
即ち、信号処理マイコンからＶＡＵＸパックメモリ７２６へ入力されたパックデータ内にメーカーズオプショナルデータが含まれていなかったときには、メインパックメモリ７２７及びコモンオプショナルデータ用ＦＩＦＯメモリ７２８からのみパックデータが１トラックごとに反復読出され、例えば、図４５に示すような１フレーム分の読出出力が得られる。但し、メーカーズオプショナルデータのみならずコモンオプショナルデータも含まれていなかった場合には、前述の説明から明らかなようにオプショナルエリアは全てＮＯ  ＩＮＦＯパックで埋め尽くされたものとなる（図３参照）。
【０１４８】
次に、信号処理マイコンからの入力パックデータ内にコモンオプショナルデータ及びメーカーズオプショナルデータの両方のデータが含まれていた場合の読出動作について説明すると、この場合は読出制御回路１２９は前述のデータＪに基づいてこれらの両方のオプショナルデータの存在を認識し、このとき読出制御回路１２９はトラック番号０〜５の各トラックにおいては、図４５と同様の読出制御動作を実行すると共にトラック番号６〜９の各トラックにおいては、メインパックメモリ７２７のデータとメーカーズオプショナルデータ用ＦＩＦＯメモリ７２９のデータのみを１トラックごとに反復読出するように制御動作を実行する。
【０１４９】
これにより、例えば図１に示されるような１フレーム分の読出データが得られる。
なお、信号処理マイコンから入力されたオプショナルデータがメーカーズオプショナルデータのみから構成されていた場合には、読出制御回路１２９はこれを前述のデータＪに基づいて認識し、この認識に基づいて１フレーム期間に渡りメインパックメモリ７２７及びメーカーズオプショナルデータ用ＦＩＦＯメモリ７２９のみから１トラックごとに反復読出を実行する。これにより、例えば図２に示されるような１フレーム分の読出データが得られる。
【０１５０】
なお、図５に示した回路構成では読出制御回路６２９がコモンオプショナルデータおよびメーカーズオプショナルデータの有無に応じて、図４５及び図１ないし図３に示すようにコモンオプショナルデータ用ＦＩＦＯメモリ７２８およびメーカーズオプショナルデータ用ＦＩＦＯメモリ７２９からの読出動作を適宜切り換えるようにしているが、これに代え、これらの２種類のオプショナルデータの有無にかかわりなく図１に示されるように、常に、トラック番号０ないし５においてはコモンオプショナルデータ用ＦＩＦＯメモリ７２８からオプショナルデータを読出し、トラック番号６ないし９においてはメーカーズオプショナルデータ用ＦＩＦＯメモリ７２９からオプショナルデータを読み出すように構成してもよい。但し、この場合には、ＶＡＵＸパックメモリ７２６へ入力されるべきオプショナルパックが全く存在しないときには、ＦＩＦＯメモリ７２９へ入力されるリセット信号もＦＩＦＯメモリ７２８と同様にＮＯ  ＩＮＦＯパックに切り換えるように構成する。
【０１５１】
また、読出制御回路１２９によるオプショナルパックの読出動作をメモリ７２８からメモリ７２９へ切り換えるタイミングは、図１のようにトラック番号６の位置に限る必要はなく、例えばトラック番号４の位置あるいはトラック番号８の位置で切り換えるようにしてもよい。
【０１５２】
次に、モード処理マイコン内におけるＶＡＵＸパックデータの生成について説明する。
図６にモード処理マイコン内のＶＡＵＸパックデータ生成部を示す。まず大きく分けて回路は、メインエリア用とオプショナルエリア用とに分かれる。回路１３１は、メインエリア用データ収集生成回路である。デジタルバスやチューナーから図のようなデータを受け取ると共に内部で１３９に示すようなデータ群を生成する。これをメインパックのビットバイト構造に組み立て、スイッチ１３２によりパックヘッダーを付加し、スイッチ１３６を介してＰ／Ｓ変換回路１１８に入力する。
【０１５３】
オプショナルエリア用データ収集生成回路１３３には、例えばチューナーからＴＥＬＥＴＥＸＴデータや番組タイトル等が入力され、これらを格納したパックデータが生成される。どのオプショナルエリアに記録するかはＶＴＲセットが個々に決定する。そのパックヘッダーを回路１３４により設定してスイッチ１３５により付加し、スイッチ１３６を介してＰ／Ｓ変換回路１３８に入力する。これらのタイミングは、タイミング調整回路１３７により行う。
ここでも前述のように回路１１８は、マイコン内にあるシリアルＩ／Ｏであり、回路１３１〜１３７はマイコンプログラムで構成される。
【０１５４】
なお、前述のように、図４２におけるＶＡＵＸ用ＩＣ５６内のＦＩＦＯ１２７として３９パック分の記憶容量を持つメモリを用いてＶＡＵＸデータ記録回路を構成した場合は、ユーザーにより指示されたメインパック及びコモンオプショナルパックの各個数、並びにメーカーズオプショナルパックの個数の値に応じて必要個数だけダミーパック及びＮＯ  ＩＮＦＯパックをモード処理マイコンにおいて生成し、これらのパックもメインパック及びオプショナルパックと共にＰ／Ｓ変換回路１３８を介して出力される。
【０１５５】
（２）  ＡＡＵＸパックデータの記録
次にＡＡＵＸパックデータの生成及び記録動作について説明すると、モード処理マイコン内のＡＡＵＸパックデータ生成部は、図    のように構成され、この回路におけるＡＡＵＸパックデータの生成は、前述のＶＡＵＸパックデータの生成と同様に行われる。そして、このＡＡＵＸパックデータ生成部で生成されたＡＡＵＸデータは、信号処理マイコン５５を介して図    におけるＡＡＵＸ用ＩＣ５８へ供給される。
【０１５６】
ＡＡＵＸ用ＩＣ５８は、図８のように構成され、信号処理マイコンから入力されるＡＡＵＸパックデータのうち６個のメインパックがメインエリア用ＦＩＦＯ６０２へ、３０個のオプショナルパックがオプショナルエリア用ＦＩＦＯ６０１へそれぞれＷＲＩＴＥ側タイミングコントローラ６０５によって書き込まれる。この後、ＲＥＡＤ側タイミングコントローラ６０４によって図３０に示されるフォーマットに従い、６個のメインパックがＦＩＦＯ６０２から１０回反復読出しされると共に、オプショナルパックはＦＩＦＯ６０１から１トラックにつき３パックづつ順番に読み出される。なお、このＡＡＵＸ用ＩＣにおいても、オプショナルエリア用ＦＩＦＯ６０１の記憶容量をＶＡＵＸ用ＩＣの場合と同様に１／１０（即ち、この場合は３パック分）にしておき、ＡＡＵＸオプショナルデータとして３パック分のデータを１０個の各トラックにおいて反復して記録するように構成して回路規模を削減してもよい。
【０１５７】
（３）  ＳＵＢＣＯＤＥデータの記録
次に、ＳＵＢＣＯＤＥデータの記録、特に図３９におけるＳＵＢＣＯＤＥ用ＩＣ５７について説明する。
図９にＳＵＢＣＯＤＥ用ＩＣ５７の回路を示す。この図において６３０ないし６３６は、ＳＵＢＣＯＤＥのＩＤ部ＳＩＤを生成する回路構成を示し、６３７ないし６４０はＳＵＢＣＯＤＥのパックデータＳＤＡＴＡを生成するための回路構成を示している。
【０１５８】
ＳＩＤの生成は、図に示されるようにＦＲコードを生成するためのカウンタ６３０と、アプリケーションＩＤであるＡＰ３及びＡＰＴ、ＴＡＧコードを生成するためのＩＮＤＥＸ  ＩＤ発生回路６３１とＳＫＩＰ  ＩＤ発生回路６３２とＰＰ  ＩＤ発生回路６３３からなる構成、絶対トラック番号発生回路６３４、ＳＹＮＣブロック番号発生回路６３５、スイッチＳ１ないしＳ３、及びこれらのスイッチの切り換え制御を行うタイミング回路６３６から構成される。
【０１５９】
なお、カウンタ６３０は、フレームパルス入力によってフレームの先頭位置で値１にセットされ、メカ制御マイコンから供給されるトラック切換信号をカウントした値がトラック番号６のトラックを示す値になったとき値０を出力する。スイッチＳ１の切り換え端子は、ＳＹＮＣブロック番号の値、０，１〜４，５，６〜１０，１１に応じて切り換えられる。
また、絶対トラック番号発生回路６３４からは、２４ビットの絶対トラック番号コードのうち上位、中位、及び下位のそれぞれ８ビットのデータがスイッチＳ２を介して各ＳＹＮＣブロックごとに順番に取り出される。
そして、スイッチＳ３の切り換え端子をＳＹＮＣブロック内のビット位置に応じて切り換えることにより、図２１において示されているＳＩＤが生成出力される。
【０１６０】
また、ＳＵＢＣＯＤＥパックデータＳＤＡＴＡの生成においては、信号処理マイコンからフレームの先頭タイミング、及びトラック番号６のトラックの先頭タイミングにおいて図に示されるようにスイッチＳ４を介してＦＩＦＯ６３７及び６３８へメインパック及びオプショナルパックが書き込まれる。そして、これらのＦＩＦＯメモリから前述の図３３に示すパターンに従って１トラック毎に交互に読み出される。
なお、ＳＤＡＴＡを生成する回路構成としては図１０に示すものを用いればメモリ容量を削減することができる。この図１０においては３パック分の記憶容量を有するＦＩＦＯ６４１ないし６４３を設けて、図に示されるようにメインパック及びオプショナルパックを書き込んだ後、図３３に示すパターンに従って読み出すことにより目的とするＳＤＡＴＡを得ることができる。
【０１６１】
（４）  パックデータの再生処理
次に、図４０及び図４１でのパックデータ再生処理を説明する。
図４１のＶＡＵＸ用ＩＣ９８、ＡＡＵＸ用ＩＣ１１１、ＳＵＢＣＯＤＥ用ＩＣ１１２においては、メインパックについては同じパックデータが複数回記録されているので、そのエラー部分はその他のノンエラーデータで補足を行い、この補足された部分のＥＲＲＯＲフラグはもはやエラーではなくなる。但し、ＳＵＢＣＯＤＥ以外のオプショナルパックについては１回記録されているだけなので補足ができず、エラーはそのままＶＡＵＸＥＲ、ＡＡＵＸＥＲとして残ることになる。これらの各ＩＣからの出力パックデータは、信号処理マイコン１００において、さらに各データのパックの前後関係などからエラー部分の正しい値を類推して伝播エラー処理やデータの補修処理等が施される。こうして判断した結果は、モード処理マイコン８２に与えられ、セット全体の挙動を決める材料にする。
【０１６２】
次にＶＡＵＸを例にＶＡＵＸ用ＩＣ９８及び信号処理マイコン１００におけるパックデータの再生回路を説明する。ここでは、ＩＣ９８において行う前処理として多数決処理ではなく、エラーの場合にはメモリに書き込まないという単純な処理方式を用いた構成例について説明する。図１１にＶＡＵＸ用ＩＣ９８の回路例を示す。まずスイッチング回路ＳＷ９からきたＶＡＵＸパックデータを、ライト側コントローラ１４２により図３のｎＭＡＩＮ＝「Ｌ」のタイミングで、スイッチ１４１を切り換えることによりメインエリア用メモリ１４５及びオプショナルエリア用ＦＩＦＯ１４８に振り分ける。
【０１６３】
メインエリアのパックデータは、パックヘッダー検出回路１４３によりそのヘッダーを読み取ってスイッチ１４４を切り換える。そしてＥＲＲＯＲでない時だけデータをメインエリア用メモリに書き込む。このメモリは、９ビット構成になっており、図で網点がかかっている部分はエラーフラグの格納ビットである。
メインエリア用メモリの初期設定としては、６番目のメインパックデータ格納領域の値は２トラック毎にその内容をすべてオール１（＝情報無し）に設定し、１〜５番目のメインパックデータ格納領域については１ビデオフレーム毎にその内容をすべてオール１（＝情報無し）にしておく。そしてＥＲＲＯＲだったらなにもせず、ＥＲＲＯＲでなければそのデータを書き込むと共にエラーフラグに０を書き込んでおく。メインエリアの６番目のパックには２トラック単位で同じデータが記録されているので、２トラック終了時点でエラーフラグに１が立っているところが、最終的にエラーと認識される。１〜５番目のメインパックについては、１ビデオフレーム終了時点でエラーフラグ＝１のところがエラーと認識される。
【０１６４】
オプショナルエリアは、基本的に１回書きなので、ＥＲＲＯＲフラグをそのままデータと共にオプショナルエリア用ＦＩＦＯ１４８に書き込む。これらをリード側タイミングコントローラ１４９によって切り換えられるスイッチ１４６、１４７を介して信号処理マイコン１００へ送る。
但し、前述のように、ＶＡＵＸデータの記録において、３９パック分の１トラックのオプショナルデータを他のトラック期間にも反復して記録する方法を採用したＶＴＲセットにおいては、オプショナルパックデータについてもメインパックデータと同様の多重書きに基づいたエラー訂正が可能である。即ち、オプショナルエリア用ＦＩＦＯ１４８に代えて３９パック分の記録容量を持つオプショナルデータ用メモリを使用し、１ビデオフレーム毎にその内容をすべてオール１にクリアする。そして、オプショナルデータがコモンオプショナルデータのみ、或いはメーカーズオプショナルデータのみから構成されている場合には、前述の１〜５番目のメインパックと同様に１フレーム期間にわたる１０回の反復書き込みを終了した時点でエラー訂正されたオプショナルパックデータを信号処理マイコンへ出力する。
【０１６５】
また、オプショナルデータがコモンオプショナルデータ及びメーカーズオプショナルデータの両者から構成されている場合（これは、トラック番号０及びトラック番号６の各トラックにおけるオプショナルパックのヘッダーから認識される）は、トラック番号５のトラックにおけるオプショナルデータを上記のオプショナルデータ用メモリへ書き込み終了した時点でエラー訂正されたコモンオプショナルパックデータを信号処理マイコンへ出力すると共に、直ちに該メモリの内容をクリアしてトラック番号６〜９の各トラックのメーカーズオプショナルパックの書き込みに備える。そして、トラック番号９のトラックにおけるパックデータの書き込みを終了した時点で信号処理マイコンへエラー訂正されたメーカーズオプショナルパックデータを出力する。
【０１６６】
信号処理マイコン１００では、送られてきたパックデータとエラーフラグから解析を行う。信号処理マイコン１００における処理動作を図１２を参照して説明する。この図に於てパックヘッダー識別回路１５０により、ＶＡＵＸ用ＩＣ９８から送られてきたパックデータ（ＶＡＵＸＤＴ）の振り分けを行い、メモリ１５１に貯える。これは、メインエリア、オプショナルエリアの区別は特にしない。
メインエリアのパックの場合には、ＶＡＵＸ用ＩＣ９８と同じく、ＶＡＵＸＥＲにエラーフラグ「１」が立っている時には書き込み処理を行わない。これにより少なくとも１ビデオフレーム前の値で補修ができる。メインエリアの内容は、１ビデオフレーム前の値と非常に相関が強いと考えられるので、この処理で代用してしまっても特に問題は生じない。
【０１６７】
一方、オプショナルエリアのパックの場合には、１ビデオフレーム前の値と全く相関がないと考えられるので、そのパック単位でエラー伝播処理を行う。
この方法は、基本的には５バイト固定長のパックデータの中にエラーが有れば全データをＦＦｈとする「情報無しパック」に変更することにより行われるが、パック個別対応も必要となる。例えば、Ｔｅｌｅｔｅｘｔデータが格納される「Ｔｅｌｅｔｅｘｔ」パックの場合には、そのパックがいくつも続く関係から、その間のパックヘッダーにエラーがあっても容易にＴｅｌｅｔｘｔパックヘッダーに置き換えが可能である。またデータ部にエラーがあっても、パックヘッダーにエラーが無ければそのパックを「情報無しパック」に変更することはしない。これは、そのＴｅｌｅｔｅｘｔデータの復元を、Ｔｅｌｅｔｅｘｔデコーダーのパリティチェックに委ねているからで、エラーとわかってもデータはそのままにしておく。
【０１６８】
即ち、ディジタルＶＴＲにおいては、図４１の再生回路では記載を省略しているが、テキストデータ、Ｔｅｌｅｔｅｘｔデータ等のようにデータ量が多く、且つ、１連のデータシーケンスとして特徴のあるパックデータについては、それぞれ信号処理マイコン１００から専用のデータ処理回路へ受け渡して、より高能率のエラー補正を実行すると共に、モード処理マイコン８２に対する負荷の軽減を行うようにしている。
【０１６９】
以上のような信号処理マイコン１００における処理により整えられたデータには、すでにエラーフラグは存在しない。これらをＰ／Ｓ変換回路１５２にてシリアルデータに変換し、マイコン間の通信プロトコルに従ってモード処理マイコン８２に送る。ここでＳ／Ｐ変換回路１５３にてパラレルデータに戻し、パックデータ分解解析を行う。
ここで回路１５０、１５５、及びスイッチ１５４はマイコンのプログラムで構成されると共に、メモリ１５１はマイコン内部のメモリ、回路１５２、及び１５３はマイコン内部のシリアルＩ／Ｏである。
【０１７０】
そして、ＡＡＵＸパックデータ及びＳＵＢＣＯＤＥパックデータについても、以上のＶＡＵＸパックデータと同様の再生処理が実行される。但し、ＳＵＢＣＯＤＥのオプショナルパックについては多重書きに基づくエラー訂正が行われる。
なお、モード処理マイコン８２におけるパックデータの分解解析においては、確定されたパックヘッダーに基づいてパックデータの解析を行い、解析結果として得られる種々の制御情報、表示情報等をそれぞれの制御回路、表示回路等へ供給する。
【０１７１】
【発明の効果】
オプショナルパック処理回路に使用するメモリの容量を節約でき、また、オプショナルパックを処理するためのマイコンの回路規模を縮小できる。
オプショナルパックの再生処理において、多重書きに基づくエラー処理を施してデータをより正確に復元することができる。
【図面の簡単な説明】
【図１】本発明の実施例においてコモンオプショナルデータ及びメーカーズオプショナルデータが記録されたＶＡＵＸ記録領域の記録パターン例を示す図である。
【図２】同実施例においてメーカーズオプショナルデータのみをＶＡＵＸ記録領域に記録した場合の記録パターン例である。
【図３】オプショナルデータを記録しないときのＶＡＵＸ記録領域を示す図である。
【図４】本発明の他の実施例におけるＶＡＵＸデータ記録回路を示す図である。
【図５】同ＶＡＵＸデータ記録回路におけるＶＡＵＸ用ＩＣの詳細を示す図である。
【図６】モード処理マイコンにおけるＶＡＵＸデータ生成回路を示す図である。
【図７】モード処理マイコンにおけるＡＡＵＸデータ生成回路を示す図である。
【図８】記録系のＡＡＵＸ用ＩＣの構成を示す図である。
【図９】記録系のＳＵＢＣＯＤＥ用ＩＣの構成を示す図である。
【図１０】同ＳＵＢＣＯＤＥ用ＩＣ内のパックデータ処理回路の他の構成例を示す図である。
【図１１】再生系のＶＡＵＸ用ＩＣの構成を示す図である。
【図１２】再生系の信号処理マイコンにおけるＶＡＵＸデータ処理回路を示す図である。
【図１３】ディジタルＶＴＲの１トラックの記録フォーマットを示す図である。
【図１４】プリＳＹＮＮＣブロック、及びポストＳＹＮＣブロックの構造を示す図である。
【図１５】ＡＵＤＩＯのフレーミングフォーマット及び１ＳＹＮＣブロックの構造を説明する図である。
【図１６】１フレーム分の画像データのブロッキングを説明する図である。
【図１７】誤り訂正符号が付加されたＶＩＤＥＯのフレーミングフォーマットを示す図である。
【図１８】ＶＩＤＥＯのバッファリングユニット、及び１ＳＹＮＣブロックの構成を示す図である。
【図１９】１トラック分のＳＵＢＣＯＤＥエリアの構造を説明する図である。
【図２０】ＡＵＤＩＯエリア、及びＶＩＤＥＯエリアにおけるＳＹＮＣブロックのＩＤ部の構造を説明する図である。
【図２１】ＳＵＢＣＯＤＥエリアにおけるＳＹＮＣブロックのＩＤ部の構造を説明する図である。
【図２２】パックの基本構造を示す図である。
【図２３】「００００」〜「０１００」の大アイテムを有するパックの種類を示す図である。
【図２４】「０１０１」〜「１１１１」の大アイテムを有するパックの種類を示す図である。
【図２５】  ＡＡＵＸ  ＳＯＵＲＣＥパック，ＡＡＵＸ  ＳＯＵＲＣＥ  ＣＯＮＴＲＯＬパック，ＡＡＵＸ  ＲＥＣ  ＤＡＴＥパック、ＡＡＵＸ  ＲＥＣ  ＴＩＭＥパック、ＡＡＵＸ  ＲＥＣ  ＴＩＭＥ  ＢＩＮＡＲＹ  ＧＲＯＵＰパックの詳細を示す図である。
【図２６】ＡＡＵＸ  ＣＬＯＳＥＤ  ＣＡＰＴＩＯＮパック、ＶＡＵＸ  ＳＯＵＲＣＥパック、ＶＡＵＸ  ＳＯＵＲＣＥ  ＣＯＮＴＲＯＬパック、ＶＡＵＸ  ＲＥＣ  ＤＡＴＥパック、ＶＡＵＸ  ＲＥＣ  ＴＩＭＥパックの詳細を示す図である。
【図２７】ＶＡＵＸ  ＲＥＣ  ＴＩＭＥ  ＢＩＮＡＲＹ  ＧＲＯＵＰパック、ＣＬＯＳＥＤ  ＣＡＰＴＩＯＮパック、ＶＡＵＸ  ＴＲパック、ＴＩＴＬＥ  ＴＩＭＥ  ＣＯＤＥパック、ＣＨＡＰＴＥＲ  ＳＴＡＲＴパックの詳細を示す図である。
【図２８】ＴＩＭＥＲ  ＡＣＴ  Ｓ／Ｓパック、ＭＡＫＥＲ  ＣＯＤＥパック、ＴＰ  ＨＥＡＤＥＲパック、ＣＯＮＴＲＯＬ  ＴＥＸＴ  ＨＥＡＤＥＲパック、ＣＯＮＴＲＯＬ  ＴＥＸＴパックの詳細を示す図である。
【図２９】ＬＩＮＥ  ＨＥＡＤＥＲパック、ＬＩＮＥ  Ｙパック、ＮＯ  ＩＮＦＯＲＭＡＴＩＯＮパックの詳細を示す図である。
【図３０】１フレーム分のＡＡＵＸ領域の構造を説明する図である。
【図３１】１トラック分のＶＡＵＸ領域の構造を説明する図である。
【図３２】１フレーム分のＶＡＵＸ領域のパック構造を説明する図である。
【図３３】ＳＵＢＣＯＤＥエリアのパックデータの多重書きを説明する図である。
【図３４】ＳＥＣＡＭ方式用ディジタルＶＴＲにおけるＳＵＢＣＯＤＥエリアのパックデータの多重書きを説明する図である。
【図３５】オプショナルデータの記録に関する規約を説明する図である。
【図３６】ＡＰＴによるトラックフォーマットの定義付けを説明する図である。
【図３７】アプリケーションＩＤの階層構造を説明する図である。
【図３８】アプリケーションＩＤが「０００」の場合のトラック上のフォーマットを説明する図である。
【図３９】ディジタルＶＴＲの記録回路を示す図である。
【図４０】ディジタルＶＴＲ再生回路の１部分の構成を示す図である。
【図４１】ディジタルＶＴＲ再生回路の他の部分の構成を示す図である。
【図４２】同ＶＴＲの記録系のＶＡＵＸパックデータ生成回路を説明する図である。
【図４３】記録トラック上のメインエリアを説明する図である。
【図４４】ＤＵＭＭＹ  ＰＡＣＫの構造を示す図である。
【図４５】本発明の実施例においてコモンオプショナルデータのみが記録されたＶＡＵＸ記録領域の記録パターン例を示す図である。
【符号の説明】
５５，１００…信号処理マイコン、    ５６，９８…ＶＡＵＸ用ＩＣ、
５７，１１２…ＳＵＢＣＯＤＥ用ＩＣ、    ５８，１１１…ＡＡＵＸ用ＩＣ、
６７，８２…モード処理マイコン、
１２５，６０５…ＷＲＩＴＥ側タイミングコントローラ、
１２６，６０２…メインエリア用ＦＩＦＯ、
１２７，１４８，６０１…オプショナルエリア用ＦＩＦＯ、
１２９、６０４…ＲＥＡＤ側タイミングコントローラ、
７２１…リセット回路、    ７２４，７２５…ダミーパック発生回路、
７２６…ＶＡＵＸパックメモリ、    ７２７…メインパックメモリ、
７２８…コモンオプショナルデータ用ＦＩＦＯ、
７２９…メーカーズオプショナルデータ用ＦＩＦＯ、
７３０…ＮＯ  ＩＮＦＯパック発生回路、
【図１】
0003651060.tif 000002
【図２】
0003651060.tif 000003
【図３】
0003651060.tif 000004
【図４】
0003651060.tif 000005
【図５】
0003651060.tif 000006
【図６】
0003651060.tif 000007
【図７】
0003651060.tif 000008
【図８】
0003651060.tif 000009
【図１０】
0003651060.tif 000010
【図９】
0003651060.tif 000011
【図１１】
0003651060.tif 000012
【図１２】
0003651060.tif 000013
【図１３】
0003651060.tif 000014
【図１４】
0003651060.tif 000015
【図１５】
0003651060.tif 000016
【図１６】
0003651060.tif 000017
【図１７】
0003651060.tif 000018
【図１８】
0003651060.tif 000019
【図１９】
0003651060.tif 000020
【図２０】
0003651060.tif 000021
【図２１】
0003651060.tif 000022
【図２２】
0003651060.tif 000023
【図２３】
0003651060.tif 000024
【図２４】
0003651060.tif 000025
【図２５】
0003651060.tif 000026
【図２６】
0003651060.tif 000027
【図２７】
0003651060.tif 000028
【図２８】
0003651060.tif 000029
【図２９】
0003651060.tif 000030
【図３０】
0003651060.tif 000031
【図３１】
0003651060.tif 000032
【図３２】
0003651060.tif 000033
【図３３】
0003651060.tif 000034
【図３４】
0003651060.tif 000035
【図３５】
0003651060.tif 000036
【図３６】
0003651060.tif 000037
【図３７】
0003651060.tif 000038
【図３８】
0003651060.tif 000039
【図３９】
0003651060.tif 000040
【図４０】
0003651060.tif 000041
【図４１】
0003651060.tif 000042
【図４２】
0003651060.tif 000043
【図４３】
0003651060.tif 000044
【図４４】
0003651060.tif 000045
【図４５】
0003651060.tif 000046